(57)【要約】  本願は、無線通信方法および装置を提供する。方法は、端末または上記端末内のチップにより実行されてよく、方法は、基地局から上位層シグナリングを受信する段階であって、上記上位層シグナリングは、スケジューリングなしの上りリンク送信に使用可能な第１の時間リソースおよび第１の周波数リソースを構成するために用いられる、段階と、スロットのフォーマットを示す下りリンク制御情報を受信する段階であって、上記フォーマットは上記スロット内のシンボルの送信方向を示す、段階と、を備え、上記スロット内の上りリンクシンボルは、上記スケジューリングなしの上りリンク送信に使用可能な時間リソースである。方法において、基地局によって、端末に下りリンク制御情報を介して動的に割り当てられ、スケジューリングなしの上りリンク送信に使用可能な時間リソースが受信される。第１の時間リソースが利用不可または不十分である場合、動的に割り当てられた時間リソースが、スケジューリングなしの上りリンク送信の実行に用いられて、端末の一部のサービスの低遅延性要件および高信頼性要件を満たしてよい。
2020530745.tif 000002
【特許請求の範囲】
【請求項１】
無線通信方法であって、
基地局から第１の上位層シグナリングを受信する段階であって、前記第１の上位層シグナリングは第１の時間リソースおよび第１の周波数リソースを構成するために用いられ、前記第１の時間リソースおよび前記第１の周波数リソースは、スケジューリングなしの上りリンク送信に使用可能である、段階と、
下りリンク制御情報を受信する段階であって、前記下りリンク制御情報はスロットのフォーマットを示すために用いられ、前記フォーマットは前記スロット内のシンボルの送信方向を示す、段階と、を備え、
前記スロット内の上りリンクシンボルは、前記スケジューリングなしの上りリンク送信に使用可能な時間リソースである、方法。
【請求項２】
前記方法は、さらに、
前記基地局から第２の上位層シグナリングを受信する段階であって、前記第２の上位層シグナリングは候補のスロットセットを示すために用いられ、前記スロットは前記候補のスロットセットに属する、段階を備える、請求項１に記載の方法。
【請求項３】
前記方法は、さらに、
前記基地局から第３の上位層シグナリングを受信する段階であって、前記第３の上位層シグナリングは第２の周波数リソースを示すために用いられ、前記第２の周波数リソースは前記第１の周波数リソースの部分集合である、段階を備え、
前記スロット内の上りリンクシンボルおよび前記第２の周波数リソースは、前記スケジューリングなしの上りリンク送信に使用可能である、請求項１に記載の方法。
【請求項４】
前記基地局から指示情報を受信する段階であって、前記指示情報は第２の時間リソースを示すために用いられ、前記時間リソースおよび前記第１の周波数リソース以外の周波数リソースは、前記スケジューリングなしの上りリンク送信に使用可能である、段階をさらに備える、請求項１から３のいずれか一項に記載の方法。
【請求項５】
上りリンクスケジューリンググラントを受信する段階であって、前記上りリンクスケジューリンググラントはスケジューリングされた第３の時間リソースおよび第３の周波数リソースを示すために用いられる、段階をさらに備え、
前記第３の時間リソースのスロット内の未使用の上りリンクシンボルおよび前記第３の周波数リソースも、前記スケジューリングなしの上りリンク送信に使用可能である、請求項１から４のいずれか一項に記載の方法。
【請求項６】
前記スケジューリングなしの上りリンク送信に使用可能なリソース上でデータを送信する段階をさらに備える、請求項１から５のいずれか一項に記載の方法。
【請求項７】
無線通信方法であって、
第１の上位層シグナリングを端末に送信する段階であって、前記第１の上位層シグナリングは第１の時間リソースおよび第１の周波数リソースを構成するために用いられ、前記第１の時間リソースおよび前記第１の周波数リソースは、スケジューリングなしの上りリンク送信に使用可能である、段階と、
下りリンク制御情報を前記端末に送信する段階であって、前記下りリンク制御情報はスロットのフォーマットを示すために用いられ、前記フォーマットは前記スロット内のシンボルの送信方向を示す、段階と、を備え、
前記スロット内の上りリンクシンボルは、前記スケジューリングなしの上りリンク送信に使用可能な時間リソースである、方法。
【請求項８】
前記方法は、さらに、
第２の上位層シグナリングを前記端末に送信する段階であって、前記第２の上位層シグナリングは候補のスロットセットを示すために用いられ、前記スロットは前記候補のスロットセットに属する、段階を備える、請求項７に記載の方法。
【請求項９】
前記方法は、さらに、
第３の上位層シグナリングを前記端末に送信する段階であって、前記第３の上位層シグナリングは第２の周波数リソースを示すために用いられ、前記第２の周波数リソースは前記第１の周波数リソースの部分集合である、段階を備え、
前記スロット内の上りリンクシンボルおよび前記第２の周波数リソースは、前記スケジューリングなしの上りリンク送信に使用可能である、請求項７に記載の方法。
【請求項１０】
指示情報を前記端末に送信する段階であって、前記指示情報は第２の時間リソースを示すために用いられ、前記時間リソースおよび前記第１の周波数リソース以外の周波数リソースは、前記スケジューリングなしの上りリンク送信に使用可能である、段階をさらに備える、請求項７から９のいずれか一項に記載の方法。
【請求項１１】
上りリンクスケジューリンググラントを前記端末に送信する段階であって、前記上りリンクスケジューリンググラントはスケジューリングされた第３の時間リソースおよび第３の周波数リソースを示すために用いられる、段階をさらに備え、
前記第３の時間リソースのスロット内の未使用の上りリンクシンボルおよび前記第３の周波数リソースも、前記スケジューリングなしの上りリンク送信に使用可能である、請求項７から１０のいずれか一項に記載の方法。
【請求項１２】
前記スケジューリングなしの上りリンク送信に使用可能なリソース上で、前記端末から送信されたデータを受信する段階をさらに備える、請求項７から１１のいずれか一項に記載の方法。
【請求項１３】
処理ユニットおよび通信ユニットを備える装置であって、
前記処理ユニットが前記通信ユニットを制御して、
基地局から第１の上位層シグナリングを受信する手順であって、前記第１の上位層シグナリングは第１の時間リソースおよび第１の周波数リソースを構成するために用いられ、前記第１の時間リソースおよび前記第１の周波数リソースは、スケジューリングなしの上りリンク送信に使用可能である、手順と、
下りリンク制御情報を受信する手順であって、前記下りリンク制御情報はスロットのフォーマットを示すために用いられ、前記フォーマットは前記スロット内のシンボルの送信方向を示す、手順と、を実行させるよう構成されており、
前記スロット内の上りリンクシンボルは、前記スケジューリングなしの上りリンク送信に使用可能な時間リソースである、装置。
【請求項１４】
前記処理ユニットは、さらに、前記通信ユニットを制御して、
前記基地局から第２の上位層シグナリングを受信する手順であって、前記第２の上位層シグナリングは候補のスロットセットを示すために用いられ、前記スロットは前記候補のスロットセットに属する、手順を実行させるよう構成されている、請求項１３に記載の装置。
【請求項１５】
前記処理ユニットは、さらに、前記通信ユニットを制御して、
前記基地局から第３の上位層シグナリングを受信する手順であって、前記第３の上位層シグナリングは第２の周波数リソースを示すために用いられ、前記第２の周波数リソースは前記第１の周波数リソースの部分集合である、手順を実行させるよう構成されており、
前記スロット内の上りリンクシンボルおよび前記第２の周波数リソースは、前記スケジューリングなしの上りリンク送信に使用可能である、請求項１３に記載の装置。
【請求項１６】
前記処理ユニットは、さらに、前記通信ユニットを制御して、
前記基地局から指示情報を受信する手順であって、前記指示情報は第２の時間リソースを示すために用いられ、前記時間リソースおよび前記第１の周波数リソース以外の周波数リソースが、前記スケジューリングなしの上りリンク送信に使用可能である、手順を実行させるよう構成されている、請求項１３から１５のいずれか一項に記載の装置。
【請求項１７】
前記処理ユニットは、さらに、前記通信ユニットを制御して、
上りリンクスケジューリンググラントを受信する手順であって、前記上りリンクスケジューリンググラントはスケジューリングされた第３の時間リソースおよび第３の周波数リソースを示すために用いられる、手順を実行させるよう構成されており、
前記第３の時間リソースのスロット内の未使用の上りリンクシンボルおよび前記第３の周波数リソースも、前記スケジューリングなしの上りリンク送信に使用可能である、請求項１３から１６のいずれか一項に記載の装置。
【請求項１８】
前記処理ユニットは、さらに、前記通信ユニットを制御して、
前記スケジューリングなしの上りリンク送信に使用可能なリソース上でデータを送信する手順を実行させるよう構成されている、請求項１３から１７のいずれか一項に記載の装置。
【請求項１９】
処理ユニットおよび通信ユニットを備える装置であって、
前記処理ユニットが前記通信ユニットを制御して、
第１の上位層シグナリングを端末に送信する手順であって、前記第１の上位層シグナリングは第１の時間リソースおよび第１の周波数リソースを構成するために用いられ、前記第１の時間リソースおよび前記第１の周波数リソースは、スケジューリングなしの上りリンク送信に使用可能である、手順と、
下りリンク制御情報を前記端末に送信する手順であって、前記下りリンク制御情報はスロットのフォーマットを示すために用いられ、前記フォーマットは前記スロット内のシンボルの送信方向を示す、手順と、を実行させるよう構成されており、
前記スロット内の上りリンクシンボルは、前記スケジューリングなしの上りリンク送信に使用可能な時間リソースである、装置。
【請求項２０】
前記処理ユニットは、さらに、前記通信ユニットを制御して、
第２の上位層シグナリングを前記端末に送信する手順であって、前記第２の上位層シグナリングは候補のスロットセットを示すために用いられ、前記スロットは前記候補のスロットセットに属する、手順を実行させるよう構成されている、請求項１９に記載の装置。
【請求項２１】
前記処理ユニットは、さらに、前記通信ユニットを制御して、
第３の上位層シグナリングを前記端末に送信する手順であって、前記第３の上位層シグナリングは第２の周波数リソースを示すために用いられ、前記第２の周波数リソースは前記第１の周波数リソースの部分集合である、手順を実行させるよう構成されており、
前記スロット内の上りリンクシンボルおよび前記第２の周波数リソースは、前記スケジューリングなしの上りリンク送信に使用可能である、請求項１９に記載の装置。
【請求項２２】
前記処理ユニットは、さらに、前記通信ユニットを制御して、
指示情報を前記端末に送信する手順であって、前記指示情報は第２の時間リソースを示すために用いられ、前記時間リソースおよび前記第１の周波数リソース以外の周波数リソースが、前記スケジューリングなしの上りリンク送信に使用可能である、手順を実行させるよう構成されている、請求項１９から２１のいずれか一項に記載の装置。
【請求項２３】
前記処理ユニットは、さらに、前記通信ユニットを制御して、
上りリンクスケジューリンググラントを前記端末に送信する手順であって、前記上りリンクスケジューリンググラントはスケジューリングされた第３の時間リソースおよび第３の周波数リソースを示すために用いられる、手順を実行させるよう構成されており、
前記第３の時間リソースのスロット内の未使用の上りリンクシンボルおよび前記第３の周波数リソースも、前記スケジューリングなしの上りリンク送信に使用可能である、請求項１９から２２のいずれか一項に記載の装置。
【請求項２４】
前記処理ユニットは、さらに、前記通信ユニットを制御して、
前記スケジューリングなしの上りリンク送信に使用可能なリソース上で、前記端末によって送信されたデータを受信する手順を実行させるよう構成されている、請求項１９から２３のいずれか一項に記載の装置。
【請求項２５】
コンピュータコードを格納するコンピュータ記憶媒体であって、前記コンピュータコードが呼び出されると、請求項１から１２のいずれか一項に記載の方法が実装される、コンピュータ記憶媒体。
【発明の詳細な説明】
【技術分野】
【０００１】
本願は、２０１７年８月１１日に中国特許庁に出願された、発明の名称「無線通信方法および装置」に係る中国特許出願第２０１７１０６８６２３７．３号に基づく優先権を主張し、当該出願は、参照によりその全体が本明細書に組み込まれる。
【０００２】
本願は、モバイル通信技術の分野に関し、特に、無線通信方法および装置に関する。
【背景技術】
【０００３】
第５世代（５ｔｈ  ｇｅｎｅｒａｔｉｏｎ，  ５Ｇ）通信においては、グラントフリー上りリンク送信がサポートされる。グラントフリー上りリンク送信は、スケジューリングなしの上りリンク送信またはグラントなしの上りリンク送信とも称され、これは、上りリンクデータが基地局によるスケジューリングがなされずに送信されることを意味し、代わりに端末は、サービスデータの到着状態に基づき、基地局により事前に割り当てられた時間−周波数リソース上で上りリンクデータを送信する。
【０００４】
グラントフリー上りリンク送信のために用いられるリソース等の事前に割り当てられた時間−周波数リソースは、無線リソース制御（Ｒａｄｉｏ  Ｒｅｓｏｕｒｃｅ  Ｃｏｎｔｒｏｌ，ＲＲＣ）シグナリング等の、上位層シグナリングを介して半静的に構成される。時間−周波数リソースを構成することは、具体的には、次のことが含まれる。
（１）時間リソース（時間領域リソースとも称される）を構成し、時間リソースは、半静的送信リソースの期間値およびシステムフレーム番号ＳＦＮ：０に対する事前構成された時間リソースのオフセット値を含む。および
（２）周波数リソース（周波数領域リソースとも称される）を構成する。具体的に言うと、グラントフリー上りリンク送信に用いられる予約された周波数リソースを構成する。換言すると、端末に割り当てられた周波数リソースの一部がグラントフリー上りリンク送信のために予約される。
【０００５】
グラントフリー上りリンク送信のために時間リソースを半静的に構成する前述の方法に関する現在の主な課題は、以下の通りである。すなわち、超高信頼性および低遅延通信（Ｕｌｔｒａ−ｒｅｌｉａｂｌｅ  ａｎｄ  ｌｏｗ  ｌａｔｅｎｃｙ  ｃｏｍｍｕｎｉｃａｔｉｏｎｓ，ＵＲＬＬＣ）サービス等の低遅延サービスが存在する場合において、現在のサブフレームまたはスロットに、グラントフリー上りリンク送信に用いられる半静的に構成された時間リソースが含まれていないとき、サービスデータの送信遅延が増大し、低遅延サービスの低遅延性要件を満たせない。また、低遅延サービスの数が増え、リソースが不十分であり、送信競合および衝突が増加する場合、端末のいくつかのサービスの高信頼性要件が満たせない。
【発明の概要】
【０００６】
本願は、端末の一部のサービスの低遅延性要件および高信頼性要件を満たす助けとなる無線通信方法および装置を提供する。
【０００７】
前述の目的を達成すべく、本願は、以下の技術的解決手段を提供する。
【０００８】
第１の態様により、無線通信方法が提供され、当該方法は、端末または端末内のチップによって実行されてよい。方法は、基地局から第１の上位層シグナリングを受信する段階であって、第１の上位層シグナリングは第１の時間リソースおよび第１の周波数リソースを構成するために用いられ、第１の時間リソースおよび第１の周波数リソースはスケジューリングなしの上りリンク送信に使用可能であり、段階と、下りリンク制御情報を受信する段階であって、下りリンク制御情報はスロットのフォーマットを示すために用いられ、フォーマットはスロット内のシンボルの送信方向を示し、スロット内の上りリンクシンボルはスケジューリングなしの上りリンク送信に使用可能な時間リソースである、段階と、を含む。方法において、基地局によって、端末に下りリンク制御情報を介して動的に割り当てられ、スケジューリングなしの上りリンク送信に使用可能な時間リソースが受信される。第１の時間リソースが利用不可または不十分である場合、動的に割り当てられた時間リソースが、スケジューリングなしの上りリンク送信の実行に用いられて、端末の一部のサービスの低遅延性要件および高信頼性要件を満たしてよい。
【０００９】
随意で、スロット内に存在し且つスケジューリングなしの上りリンク送信に使用可能な上りリンクシンボルについては、スケジューリングなしの上りリンク送信は、上りリンクシンボルのすべてにより実行されてよく、あるいは、スケジューリングなしの上りリンク送信は、これらのシンボルのうち一部のみにより実行されてもよい。
【００１０】
随意で、時間リソースは、固定時間リソースおよび柔軟な時間リソースを含む。固定時間リソース内の各シンボルの送信方向は、基地局によって上位層シグナリングを介して半静的に構成される。柔軟な時間リソース内の各シンボルの送信方向は、基地局によって下りリンク制御情報を介して動的に示される。
【００１１】
随意で、固定時間リソースは、固定上りリンクシンボルおよび／または固定下りリンクシンボルを含む。
【００１２】
随意で、固定時間リソースはスロットであり、柔軟な時間リソースはスロットである。
【００１３】
随意で、固定時間リソースはサブフレームであり、柔軟な時間リソースはサブフレームであり、１つのサブフレームは１または複数のスロットを含む。
【００１４】
随意で、固定時間リソースはシステムフレームであり、柔軟な時間リソースはシステムフレームであり、１つのシステムフレームは、１または複数のサブフレームを含み、１つのサブフレームは１または複数のスロットを含む。
【００１５】
随意で、時間リソースは、さらに固定時間リソースおよび柔軟な時間リソースに加え、予約リソースを含み、予約リソースは下りリンク送信または上りリンク送信に用いられない。
【００１６】
第１の態様の発明コンセプトと同一の発明コンセプトに基づき、可能な設計において、別の無線通信方法がさらに提供され、方法は端末または端末内のチップによって実行されてよい。方法は、基地局から第１の上位層シグナリングを受信する段階であって、上記第１の上位層シグナリングは第１の時間リソースを構成するために用いられ、上記第１の時間リソースは、スケジューリングなしの上りリンク送信に使用可能である、段階と、下りリンク制御情報を受信する段階であって、上記下りリンク制御情報はスロットのフォーマットを示すために用いられ、上記フォーマットは上記スロット内のシンボルの送信方向を示し、上記スロット内の上りリンクシンボルは、前記スケジューリングなしの上りリンク送信に使用可能な時間リソースである、段階と、を備える。無線通信方法と、第１の態様の無線通信方法との主な差異は、基地局が第１の上位層シグナリングを介して端末に対し第１の時間リソースを構成するが、第１の周波数リソースは第１の上位層シグナリングを介して構成される必要がなくてよく、この方法の他の部分の説明は、第１の態様の実装における方法と同一である。無線通信方法は、基地局が時間リソースを端末に割り当てるシナリオに適用可能である。割り当てられた時間リソースが不十分である場合、時間リソースは動的に追加されてよい。随意で、第１の周波数リソースが、基地局からさらに受信される。例えば、第１の周波数リソースは、物理層でのアクティブ化シグナリングで示される。
【００１７】
随意で、以下の３つのタイプのグラントフリー送信が存在する。
【００１８】
タイプ１：基地局が配信するグラント情報なしで、ＲＲＣ構成／再構成情報のみに基づき、上りリンクデータ送信が実行される。
【００１９】
タイプ２：上りリンクデータ送信は基地局が配信するグラント情報なしで実行されるが、グラントフリー送信が、ＲＲＣ構成情報および物理層シグナリング（例えば、Ｌ１シグナリング（ｓｉｇｎａｌｉｎｇ））の指示に基づき、アクティブ化／非アクティブ化される必要がある。
【００２０】
タイプ３：上りリンクデータ送信は基地局が配信するグラント情報なしで実行され、ＲＲＣシグナリングを介して半静的に構成される一部のパラメータは、物理層シグナリング（例えば、Ｌ１シグナリング）を介してＲＲＣ構成／再構成情報に基づき修正されてよいが、グラントフリー送信は物理層シグナリング（例えば、Ｌ１シグナリング）を介してアクティブ化／非アクティブ化される必要はない。
【００２１】
随意で、グラントフリー送信がタイプ１である場合、第１の上位層シグナリングは、第１の時間リソースおよび第１の周波数リソースを構成するために用いられ、第１の時間リソースおよび第１の周波数リソースは、スケジューリングなしの上りリンク送信に使用可能である。
【００２２】
随意で、グラントフリー送信がタイプ３である場合、第１の上位層シグナリングは、第１の時間リソースおよび第１の周波数リソースを構成するために用いられ、第１の時間リソースおよび第１の周波数リソースは、スケジューリングなしの上りリンク送信に使用可能である。
【００２３】
随意で、グラントフリー送信がタイプ２である場合、第１の上位層シグナリングは、第１の周波数リソースの代わりに、第１の時間リソースを示す必要がある。第１の周波数リソースは、基地局によってＬ１シグナリングを介して示されてよい。
【００２４】
随意で、グラントフリー送信がタイプ３である場合、第１の上位層シグナリングは、第１の周波数リソースの代わりに、第１の時間リソースを示す必要がある。第１の周波数リソースは、基地局によってＬ１シグナリングを介して示されてよい。
【００２５】
第１の時間リソースは、例えば、スロット内の固定上りリンクシンボルであってよく、換言すると、第１の時間リソースは、上りリンク送信方向で専用に用いられるシンボルである。
【００２６】
可能な設計において、第２の上位層シグナリングが基地局から受信され、第２の上位層シグナリングは候補の時間リソースセットを示すために用いられ、スロットは候補の時間リソースセットに属する。方法において、基地局は、第２の上位層シグナリングを介して候補の時間リソースセットを示し、セット内のスロットは、端末がスケジューリングなしの上りリンク送信を実行するために用いられる候補スロットである。具体的に言うと、セット内の任意のスロットが、端末によってスケジューリングなしの上りリンク送信を実行するために用いられてよい。代替的に、これは、セット内の任意のスロットのシンボルの一部または全部が、基地局によって上りリンクシンボルとして構成される場合、上りリンクシンボルは、スケジューリングなしの上りリンク送信に用いられてよいことを示すものとして理解されてよい。
【００２７】
随意で、候補の時間リソースセットは１または複数の無線フレームを含み、各無線フレームは複数のサブフレームを含み、各サブフレームは複数のスロットを含む。代替的に、実装は、候補の時間リソースセットが１または複数のスロットを含むことを示すものとして理解されてよい。
【００２８】
随意で、候補の時間リソースセットは、１または複数のサブフレームを含み、各サブフレームは複数のスロットを含む。代替的に、実装は、候補の時間リソースセットは１または複数のスロットを含むことを示すものとして理解されてよい。
【００２９】
随意で、候補の時間リソースセットは１または複数のスロットを含む。この実装においては、候補の時間リソースセットは、候補のスロットセットとも称され得る。
【００３０】
可能な設計において、候補の時間リソースセットは、基地局によって上位層シグナリングを介して示されなくてもよい。代わりに、候補の時間リソースセットは事前定義される。代替的に、候補の時間リソースセットは、端末によって決定される。
【００３１】
随意で、端末または端末グループのチップは、第１の時間リソースを除くすべての時間リソース内の第１のスロット、または、第１の時間リソースおよび予約リソースを除くすべての時間リソース内の第１のスロットを、候補の時間リソースセット内にグループ化し、第１のスロットは、構成可能な送信方向に用いられるシンボルを含むスロットを指す。代替的に、これは、第１のスロットはスロットフォーマットが構成可能なスロットであり、スロットフォーマット（ｓｌｏｔ  ｆｏｒｍａｔ）は、スロット内のシンボルの送信方向を指すことを示すものとして理解されてよい。
【００３２】
随意で、端末または端末のチップは、端末の現在のシステムフレーム内の第１の時間リソース以外の別の時間リソース内の第２のスロット、または、端末の現在のシステムフレーム内の第１の時間リソースおよび予約リソース以外の別の時間リソース内の第２のスロットを、候補の時間リソースセットにグループ化する。第２のスロットは、構成可能な送信方向で用いられるシンボルを含むスロットである。
【００３３】
随意で、端末はまたは端末のチップは、端末に割り当てられた時間リソース内の、第１の時間リソース以外の別の時間リソース内の第３のスロット、または、端末に割り当てられた時間リソース内の、第１の時間リソースおよび予約リソース以外の別の時間リソース内の第３のスロットを、候補の時間リソースセットにグループ化する。第３のスロットは、構成可能な送信方向で用いられるシンボルを含むスロットである。
【００３４】
可能な設計において、第３の上位層シグナリングが基地局から受信され、上記第３の上位層シグナリングは第２の周波数リソースを示すために用いられ、上記第２の周波数リソースは上記第１の周波数リソースの部分集合であり、上記スロット内の上りリンクシンボルおよび上記第２の周波数リソースは、上記スケジューリングなしの上りリンク送信に使用可能である。端末は、時間次元におけるスロットの上りリンクシンボル上で、スケジューリングなしの上りリンク送信を実行してよい。随意で、端末は、周波数次元における第１の周波数リソース上で、スケジューリングなしの上りリンク送信を実行してよい。随意で、代替的に、端末は、第２の周波数リソース上でスケジューリングなしの上りリンク送信を実行してよい。第２の周波数リソースは、基地局によって、第３の上位層シグナリングを介して示され、第２の周波数リソースは、第１の周波数リソースの部分集合である。換言すると、第２の周波数リソースは、第１の周波数リソースと等しくてよく、または、第１の周波数リソースの一部（すなわち、真部分集合）であってよい。随意で、第２の周波数リソースが第１の周波数リソースに等しい場合、代替的に基地局は、第３の上位層シグナリングを送信しなくてよい。換言すると、基地局が第３の上位層シグナリングを送信しない場合、端末の第２の周波数リソースが第１の周波数リソースに等しいことが事前定義されてよい。
【００３５】
可能な設計において、指示情報は基地局から受信され、上記指示情報は第２の時間リソースを示すために用いられ、上記時間リソースおよび上記第１の周波数リソース以外の周波数リソースは、上記スケジューリングなしの上りリンク送信に使用可能である。方法において、基地局は、第２の時間リソースを、指示情報を介して示し、端末は、第２の時間リソースおよび第１の周波数リソース以外の周波数リソース上でスケジューリングなしの上りリンク送信を実行する。このように、第１の周波数に加え、スケジューリングなしの上りリンク送信に用いられる周波数リソースが追加され、スケジューリングなしの上りリンク送信に用いられるリソースがさらに追加される。従って、遅延はさらに低減されてよく、サービス信頼性が向上されてよい。
【００３６】
可能な設計において、上りリンクスケジューリンググラントが受信される。上りリンクスケジューリンググラントはスケジューリングされた第３の時間リソースおよび第３の周波数リソースを示すために用いられ、第３の時間リソースのスロット内の未使用の上りリンクシンボルおよび第３の周波数リソースも、スケジューリングなしの上りリンク送信に使用可能である。方法において、スケジューリングなしの上りリンク送信に使用可能な時間−周波数リソースを決定するための別の方法が提供される。具体的に言うと、基地局は、上りリンクスケジューリンググラントを端末に送信し、上りリンクスケジューリンググラントは、スケジューリングされた第３の時間リソースおよび第３の周波数リソースを示すために用いられる。第３の時間リソースのスロット内に未使用の上りリンクシンボルが存在する場合、スケジューリングなしの上りリンク送信は、未使用の上りリンクシンボルおよび第３の周波数リソースを介して実行されてよく、これにより、さらに、スケジューリングなしの上りリンク送信に用いられるリソースを追加し、さらに、遅延を低減し、サービス信頼性を向上させる。
【００３７】
可能な設計において、スケジューリングなしの上りリンク送信に使用可能なリソース上でデータは送信される。
【００３８】
第２の態様により、無線通信方法が提供され、方法は、基地局または基地局内のチップによって実行されてよい。方法は、第１の上位層シグナリングを端末に送信する段階であって、上記第１の上位層シグナリングは第１の時間リソースおよび第１の周波数リソースを構成するために用いられ、上記第１の時間リソースおよび上記第１の周波数リソースは、スケジューリングなしの上りリンク送信に使用可能である、段階と、下りリンク制御情報を上記端末に送信する段階であって、上記下りリンク制御情報はスロットのフォーマットを示すために用いられ、上記フォーマットは上記スロット内のシンボルの送信方向を示す、段階と、を備え、上スロット内の上りリンクシンボルは、上記スケジューリングなしの上りリンク送信に使用可能な時間リソースである。
【００３９】
可能な設計において、第２の上位層シグナリングは上記端末に送信され、上記第２の上位層シグナリングは候補のスロットセットを示すために用いられ、上記スロットは上記候補のスロットセットに属する。
【００４０】
可能な設計において、第３の上位層シグナリングが上記端末に送信され、上記第３の上位層シグナリングは第２の周波数リソースを示すために用いられ、上記第２の周波数リソースは上記第１の周波数リソースの部分集合であり、上記スロット内の上りリンクシンボルおよび上記第２の周波数リソースは、上記スケジューリングなしの上りリンク送信に使用可能である。
【００４１】
可能な設計において、指示情報を上記端末に送信され、上記指示情報は第２の時間リソースを示すために用いられ、上記時間リソースおよび上記第１の周波数リソース以外の周波数リソースは、上記スケジューリングなしの上りリンク送信に使用可能である。
【００４２】
可能な設計において、上りリンクスケジューリンググラントが端末に送信される。上りリンクスケジューリンググラントは、スケジューリングされた第３の時間リソースおよび第３の周波数リソースを示すために用いられ、第３の時間リソースのスロット内の未使用の上りリンクシンボルおよび第３の周波数リソースも、スケジューリングなしの上りリンク送信に使用可能である。
【００４３】
可能な設計において、スケジューリングなしの上りリンク送信に使用可能なリソース上で端末によって送信されたデータが受信される。
【００４４】
第３の態様により、本願は、装置を提供する。装置は、端末または端末内のチップであってよい。装置は、第１の態様の各実施形態を実装する機能を有する。機能は、ハードウェアによって実装されてよく、あるいは対応するソフトウェアを実行するハードウェアによって実装されてよい。ハードウェアまたはソフトウェアは、前述の機能に対応する１または複数のモジュールを含む。
【００４５】
可能な設計において、装置が端末である場合、端末は、処理ユニットおよび通信ユニットを含む。処理ユニットは、例えば、プロセッサであってよい。通信ユニットは、例えば、送受信機であってよく、送受信機は無線周波数回路を含む。随意で、端末はさらに、ストレージユニットを含み、ストレージユニットは、例えばメモリであってよい。端末はストレージユニットを含む場合、ストレージユニットは、コンピュータで実行可能な命令を格納するよう構成されている。処理ユニットは、ストレージユニットに接続されている。処理ユニットは、ストレージユニット内に格納されたコンピュータで実行可能な命令を実行すると、端末は、第１の態様の任意の設計の無線通信方法を実行する。
【００４６】
別の考え得る設計において、装置が端末内のチップである場合、チップは処理ユニットおよび通信ユニットを含み、処理ユニットは、例えばプロセッサであってよく、通信ユニットは例えば、入／出力インタフェース、ピンまたは回路であってよい。処理ユニットは、ストレージユニット内に格納されたコンピュータで実行可能な命令を実行してよく、その結果、端末内のチップが、第１の態様の任意の設計における無線通信方法を実行する。随意で、ストレージユニットは、チップ内のストレージユニットであり、例えば、レジスタまたはキャッシュである。代替的に、ストレージユニットは、端末であり且つチップ外にあるストレージユニットであってよく、例えば、リードオンリメモリ（ｒｅａｄ−ｏｎｌｙ  ｍｅｍｏｒｙ，ＲＯＭ）、静的情報および命令を格納可能な別のタイプのスタティックストレージデバイス、またはランダムアクセスメモリ（ｒａｎｄｏｍ  ａｃｃｅｓｓ  ｍｅｍｏｒｙ，ＲＡＭ）であってよい。
【００４７】
前述の設計で言及された任意のいずれかのプロセッサは、汎用中央演算処理装置（ＣＰＵ）、マイクロプロセッサ、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ，ＡＳＩＣ）、または、第１の態様の無線通信方法のプログラム実行を制御する１または複数の集積回路であってよい。
【００４８】
第４の態様により、本願は装置を提供する。装置は、基地局または基地局内のチップであってよい。装置は、第２の態様の各実施形態を実装する機能を有する。機能は、ハードウェアによって実装されてよく、または対応するソフトウェアを実行するハードウェアによって実装されてもよい。ハードウェアまたはソフトウェアは、前述の機能に対応する１または複数のモジュールを含む。
【００４９】
可能な設計において、装置が基地局である場合、基地局は、処理ユニットおよび通信ユニットを含む。処理ユニットは、例えばプロセッサであってよい。通信ユニットは、例えば、送受信機であってよく、送受信機は無線周波数回路を含む。随意で、基地局は、さらに、ストレージユニットを含み、ストレージユニットは例えばメモリであってよい。基地局がストレージユニットを含む場合、ストレージユニットは、コンピュータで実行可能な命令を格納するよう構成されている。処理ユニットは、ストレージユニットに接続されている。処理ユニットがストレージユニット内に格納されたコンピュータで実行可能な命令を実行すると、基地局は、第２の態様の任意の設計の無線通信方法を実行する。
【００５０】
別の考え得る設計において、装置が基地局内のチップである場合、チップは処理ユニットおよび通信ユニットを含み、処理ユニットは、例えばプロセッサであってよく、通信ユニットは例えば、入／出力インタフェース、ピンまたは回路であってよい。処理ユニットは、ストレージユニット内に格納されたコンピュータで実行可能な命令を実行してよく、その結果、基地局内のチップが、第２の態様の任意の設計における無線通信方法を実行する。随意で、ストレージユニットはチップ内のストレージユニットであり、例えば、レジスタまたはキャッシュである。代替的に、ストレージユニットは、基地局内に存在し且つチップ外にあるストレージユニットであってよく、このようなものとしては、例えば、ＲＯＭ、静的情報および命令を格納可能な別のタイプのスタティックストレージデバイスまたはＲＡＭが含まれる。
【００５１】
前述の設計の任意の１つにおいて言及したプロセッサは、ＣＰＵ、マイクロプロセッサ、ＡＳＩＣ、または、第２の態様の無線通信方法のプログラム実行を制御するための１または複数の集積回路であってよい。
【００５２】
第５の態様により、本願は、コンピュータ可読記憶媒体を提供し、コンピュータ可読記憶媒体は、命令を格納する。命令がコンピュータ上で起動されると、コンピュータは第１の態様における方法を実行する。コンピュータは、例えば、端末であってよい。
【００５３】
第６の態様により、本願はさらにコンピュータ可読記憶媒体を提供し、コンピュータ可読記憶媒体は命令を格納する。命令がコンピュータ上で起動されると、コンピュータは第２の態様の方法を実行する。コンピュータは、例えば、基地局であってよい。
【００５４】
第７の態様により、本願はコンピュータプログラムプロダクトを提供する。コンピュータプログラムプロダクトは、コンピュータソフトウェア命令を含み、コンピュータソフトウェア命令は、プロセッサによりロードされて、第１の態様の任意の設計における無線通信方法内のプロシージャを実装してよい。
【００５５】
第８の態様により、本願は、コンピュータプログラムプロダクトを提供する。コンピュータプログラムプロダクトは、コンピュータソフトウェア命令を含み、コンピュータソフトウェア命令は、プロセッサによってロードされて、第２の態様の任意の設計における無線通信方法内のプロシージャを実装してよい。
【００５６】
また、第２の態様から第８の態様までの任意の設計方式によってもたらされる技術的効果については、第１の態様の異なる設計方式によってもたらされる技術的効果を参照されたい。ここで、詳細について再度記載することはしない。
【００５７】
本発明に係るこれらの態様またはその他の態様は、以下の実施形態の説明において、より簡潔且つより包含的なものとなっている。
【図面の簡単な説明】
【００５８】
【図１】背景技術における方法の時間−周波数リソースを割り当てる概略図である。
【００５９】
【図２】背景技術の方法における時間−周波数リソースを割り当てる別の模式図である。
【００６０】
【図３】本願による可能なネットワークアーキテクチャの概略図である。
【００６１】
【図４】本願による無線通信方法である。
【００６２】
【図５】本願によるスロットフォーマットの例の図である。
【００６３】
【図６（ａ）】本願による、時間−周波数リソースの割り当ての概略図である。
【００６４】
【図６（ｂ）】本願による、時間−周波数リソースの割り当ての別の模式図である。
【００６５】
【図７（ａ）】本願による、時間−周波数リソースの割り当てのさらに別の模式図である。
【００６６】
【図７（ｂ）】本願による、時間−周波数リソースの割り当てのまたさらなる別の模式図である。
【００６７】
【図７（ｃ）】本願による、時間−周波数リソースの割り当てのまたさらなる別の模式図である。
【００６８】
【図８（ａ）】本願による、時間−周波数リソースの割り当てのさらなる概略図である。
【００６９】
【図８（ｂ）】本願による、時間−周波数リソースの割り当てのさらなる概略図である。
【００７０】
【図８（ｃ）】本願による、時間−周波数リソースの割り当てのさらなる概略図である。
【００７１】
【図９】本願による、時間−周波数リソースの割り当てのさらなる概略図である。
【００７２】
【図１０】本願による、時間−周波数リソースの割り当てのさらなる別の模式図である。
【００７３】
【図１１】本願による装置の概略図である。
【発明を実施するための形態】
【００７４】
本願の目的、技術的解決手段および利点をより明確にすべく、以下に添付図面を参照しつつ本願についてさらに詳しく説明する。
【００７５】
本願の無線通信方法は、装置によって実行されてよいことに留意されたい。ネットワーク側の装置は、基地局または基地局内のチップであってよく、換言すると、本願の無線通信方法は、基地局または基地局内のチップによって実行されてよい。端末側の装置は、端末または端末内のチップであってよく、換言すると、本願の無線通信方法は端末または端末内のチップによって実行されてよい。
【００７６】
説明しやすくするために、本願においては、無線通信方法を説明する例として、装置が基地局または端末であることが用いられる。装置が基地局内のチップまたは端末内のチップである場合に用いられる実装方法については、基地局または端末の無線通信方法の詳細な説明を参照されたい。詳細について、再度繰り返し説明することはしない。
【００７７】
本願で言及する上位層シグナリングとは、システムメッセージ（マスタ情報ブロック（Ｍａｓｔｅｒ  Ｉｎｆｏｒｍａｔｉｏｎ  Ｂｌｏｃｋ，ＭＩＢ）、システム情報ブロック（Ｓｙｓｔｅｍ  Ｉｎｆｏｒｍａｔｉｏｎ  Ｂｌｏｃｋ，ＳＩＢ）、ブロードキャストシグナリング、ＲＲＣシグナリングまたはメディアアクセス制御（Ｍｅｄｉａ  Ａｃｃｅｓｓ  Ｃｏｎｔｒｏｌ，ＭＡＣ）制御要素（Ｃｏｎｔｒｏｌ  Ｅｌｅｍｅｎｔ，ＣＥ）等）であってよいことに留意されたい。例えば、本願中に以降に出現する第１の上位層シグナリング、第２の上位層シグナリングおよび第３の上位層シグナリングとはそれぞれ、前述のいくつかのタイプのシグナリングのうちの１または複数であってよく、本明細書ではまとめて説明する。詳細について、以降再度説明することはしない。
【００７８】
ロングタームエボリューション（ｌｏｎｇ  ｔｅｒｍ  ｅｖｏｌｕｔｉｏｎ，ＬＴＥ）では、一般に、１つのスロット内にあるすべてのシンボルが、上りリンクまたは下りリンクに専用に用いられる。特に、時分割複信（Ｔｉｍｅ  Ｄｉｖｉｓｉｏｎ  Ｄｕｐｌｅｘｉｎｇ，ＴＤＤ）システムでは、スロット（ｓｌｏｔ）全体が上りリンクまたは下りリンクに用いられる。これは、比較的柔軟性に欠き、特に、低遅延サービスに対し比較的大きな制約を課している。
【００７９】
５Ｇ新無線（Ｎｅｗ  Ｒａｄｉｏ，ＮＲ）の標準化取り組みにおいて、低遅延サービスの要件を満たすべく、柔軟なスロット構造がサポートされる。具体的に言うと、１つのスロット内のすべてのシンボルが上りリンクまたは下りリンクに用いられてよい。あるいは、１つのスロット内の一部のシンボルが上りリンクに用いられ、一部のシンボルが下りリンクに用いられる。スロット構造は、端末のグループ共通物理下りリンク制御チャネル（Ｇｒｏｕｐ  Ｃｏｍｍｏｎ  Ｐｈｙｓｉｃａｌ  ＤｏｗｎＬｉｎｋ  Ｃｏｎｔｒｏｌ  Ｃｈａｎｎｅｌ，Ｇｒｏｕｐ  Ｃｏｍｍｏｎ  ＰＤＣＣＨ）によって示されてよく、スロット構造は代替的に、スロットフォーマット（Ｓｌｏｔ  Ｆｏｒｍａｔ）またはスロットフォーマット関連情報（Ｓｌｏｔ  ｆｏｒｍａｔ  ｒｅｌａｔｅｄ  ｉｎｆｏｒｍａｔｉｏｎ）として理解されてよい。基地局は、グループ共通ＰＤＣＣＨを送信し、端末は、スロットフォーマットを取得するために、グループ共通ＰＤＣＣＨを検出する。スロットフォーマットは、上りリンク用の特定のシンボル、下りリンク用の特定のシンボルおよびスロット内の他のシンボルを示す。他のシンボルとは、上りリンク情報または下りリンク情報に用いられないシンボルであり、例えば、ブランクリソース、ガード期間（Ｇｕａｒｄ  Ｐｅｒｉｏｄ，ＧＰ）、予約リソースまたは不明リソースである。また、１つのグループ共通ＰＤＣＣＨは、１または複数のスロットから成るスロットフォーマットを示してよい。
【００８０】
説明しやすくするために、本願では時間リソースは、固定時間リソースおよび柔軟な時間リソースを含む。例えば、スロットで表わす場合、固定時間リソースは固定スロットを含み、柔軟な時間リソースは柔軟なスロットを含む。固定スロット内のすべてのシンボルは、上りリンクまたは下りリンクに専用に用いられる。代替的に、これは、固定スロット内の各シンボルの送信方向は、基地局によって上位層シグナリングを介して半静的に構成されることを示すものとして理解されてよい。柔軟なスロット内の各シンボルの送信方向は可変である。具体的には、各送信中に用いられるスロット内の各シンボルの送信方向は、基地局によって下りリンク制御情報を介して動的に示される。
【００８１】
例えば、固定スロットは固定上りリンクシンボル（ｆｉｘｅｄ  ｕｐｌｉｎｋ  ｓｙｍｂｏｌ）または固定下りリンクシンボル（ｆｉｘｅｄ  ｄｏｗｎｌｉｎｋ  ｓｙｍｂｏｌ）を含む。柔軟なスロットは、英語で「ｆｌｅｘｉｂｌｅ  ｓｌｏｔ」と称されてよく、ｆｌｅｘｉｂｌｅ  ｓｌｏｔ内の各シンボルの送信方向は、使用中に基地局によって動的に示される。
【００８２】
代替的に、固定時間リソースおよび柔軟な時間リソースは、シンボルで表わされてよい。例えば、１つのスロット内の一部のシンボルは上位層シグナリングを介して半静的に構成され、下りリンクに専用に用いられる。あるいは、１つのスロット内の一部のシンボルは上位層シグナリングを介して半静的に構成され、上りリンクに専用に用いられる。代替的に、１つのスロット内の一部のシンボルは上位層シグナリングを介して半静的に構成され、下りリンクに専用に用いられ、一部のシンボルは上位層シグナリングを介して半静的に構成され、上りリンクに専用に用いられる。代替的に、固定時間リソースおよび柔軟な時間リソースは、複数のスロットで表わされてよい。この点は、本発明において限定されるものではない。
【００８３】
固定時間リソースおよび柔軟な時間リソースに加え、予約リソース（ｒｅｓｅｒｖｅｄ  ｒｅｓｏｕｒｃｅ）も存在してよい。予約リソースが端末のために構成される場合、端末は、予約リソースに何らの前提も課さない。何らの前提も課さないということは、端末は、下りリンク送信または上りリンク送信が、予約リソースで行われないとみなすことを意味する。予約リソースは、基地局によって、端末に対し、上位層シグナリング（例えば、システム情報ブロック（Ｓｙｓｔｅｍ  Ｉｎｆｏｒｍａｔｉｏｎ  Ｂｌｏｃｋ，ＳＩＢ）またはＲＲＣ無線リソース制御（Ｒａｄｉｏ  Ｒｅｓｏｕｒｃｅ  Ｃｏｎｔｒｏｌ，ＲＲＣ））、ブロードキャストシグナリング（例えば、物理ブロードキャストチャネル（Ｐｈｙｓｉｃａｌ  Ｂｒｏａｄｃａｓｔ  Ｃｈａｎｎｅｌ，ＰＢＣＨ）により搬送されるシグナリング、ＭＡＣ層シグナリング、または物理層シグナリング（例えば、下りリンク制御情報（Ｄｏｗｎｌｉｎｋ  Ｃｏｎｔｒｏｌ  Ｉｎｆｏｒｍａｔｉｏｎ，ＤＣＩ））を介して構成されてよい。この点は、本発明において限定されるものではない。
【００８４】
従って、背景技術におけるスケジューリングなしの上りリンク送信用にリソースを割り当てる方法に基づき、固定上りリンクスロットが端末のために構成されてよい。換言すると、割り当てられた時間−周波数リソース上で、上りリンクデータのグラントフリー送信を実行するために、固定上りリンク時間リソースが端末に割り当てられ、特定の固定周波数リソースが端末に割り当てられる。
【００８５】
図１は、背景技術における方法の時間−周波数リソースを割り当てる概略図である。時間次元において割り当てられた時間リソースは、固定上りリンク時間リソースであり、例えば、固定上りリンクスロットである。本願では、当該時間リソースは、第１の時間リソースとも称される。周波数次元において割り当てられた周波数リソースは、第１の周波数リソースである。
【００８６】
図には、第１の時間リソースの一部のみが示されていることに留意されたい。実際には、第１の時間リソースは周期的なリソースであってよく、第１の時間リソースは別の時間に含まれてもよい。説明しやすくするために、本願では第１の時間リソースの一部のみが示されている。詳細について以降、再度繰り返し説明することはしない。
【００８７】
従って、背景技術における時間−周波数リソースを割り当てる方法に基づくと、上りリンクデータのグラントフリー送信は、第１の時間リソースおよび第１の周波数リソースを含む時間−周波数リソース、すなわち図１中の時間−周波数リソース"１"上のみで実行可能である。
【００８８】
図１に示される方法に基づくと、端末が現在、時間−周波数リソース"２"が属する時間間隔内にあり、端末がグラントフリー上りリンク送信、すなわち、スケジューリングなしの上りリンク送信を実行する必要があるとき、時間−周波数リソース"２"はグラントフリー上りリンク送信用に構成されていないので、端末はグラントフリー上りリンク送信用に構成された時間−周波数リソース上でグラントフリー上りリンク送信を実行するために、次の期間の到来まで待機する必要がある。例えば、図２は、背景技術における方法の時間−周波数リソースを割り当てる別の模式図である。時間−周波数リソース"５"は、次の期間に位置し、且つグラントフリー上りリンク送信用に構成された時間−周波数リソースである。当該時間−周波数リソースは、時間次元においては第１の時間リソースと称され、周波数次元においては第１の周波数リソースと称される。従って、端末は、時間−周波数リソース"５"上でグラントフリー上りリンク送信を実行してよいが、これは、端末がグラントフリー上りリンク送信を実行するにあたり遅延を生じさせる。後続の期間に、グラントフリー上りリンク送信に使用可能な時間−周波数リソースが存在しない場合、リソース不足さえも生じ、送信競合および衝突が増大し、高信頼性サービスの高信頼性要件を保証できない。
【００８９】
本願は、前述の課題を解決し、端末サービスに対する低遅延性要件および高信頼性要件を満たすための無線通信方法を提供する。端末は、基地局から第１の上位層シグナリングを受信し、第１の上位層シグナリングは第１の時間リソースおよび第１の周波数リソースを構成するために用いられ、第１の時間リソースおよび第１の周波数リソースはスケジューリングなしの上りリンク送信に使用可能であり、端末は下りリンク制御情報を受信し、下りリンク制御情報はスロットのフォーマットを示すために用いられ、フォーマットはスロット内のシンボルの送信方向を示し、スロット内の上りリンクシンボルはスケジューリングなしの上りリンク送信に使用可能な時間リソースである。方法において、基地局は、スケジューリングなしの上りリンク送信に使用可能な第１の時間リソースおよび第１の周波数リソースを、第１の上位層シグナリングを介して示し、さらに、スロットのフォーマットを下りリンク制御情報を介して示し、スロット内の上りリンクシンボルも、スケジューリングなしの上りリンク送信に使用可能である。従って、基地局は端末に、スケジューリングなしの上りリンク送信に使用可能な時間リソースを、下りリンク制御情報を介して動的に割り当ててよい。第１の時間リソースが利用不可または不十分である場合、当該動的に割り当てられた時間リソースがスケジューリングなしの上りリンク送信に用いられてよく、これによりサービスの低遅延性要件および高信頼性要件を満たす。
【００９０】
添付図面を参照しつつ、以下に本願の無線通信方法について詳しく説明する。
【００９１】
図３は、本願による考えられ得るネットワークアーキテクチャの概略図である。ネットワークアーキテクチャは、少なくとも１つの端末１０を含み、端末１０は無線インタフェースを介して基地局２０と通信する。分かり易くするために、図には１つの基地局および１つの端末のみが示されている。
【００９２】
端末は、例えば屋内デバイス、屋外デバイス、ハンドヘルドデバイスまたは車載デバイスといった、無線送受信機機能を有し且つ地上に配備されてよいデバイスである。または端末は水上（例えば、船上）に配備されてよく、あるいは空中（例えば、航空機、バルーンまたは衛星上）に配備されてもよい。端末は、携帯電話（ｍｏｂｉｌｅ  ｐｈｏｎｅ）、タブレットコンピュータ（ｐａｄ）、無線送受信機機能付きコンピュータ、仮想現実（ｖｉｒｔｕａｌ  ｒｅａｌｉｔｙ，ＶＲ）端末、拡張現実（ａｕｇｍｅｎｔｅｄ  ｒｅａｌｉｔｙ，ＡＲ）端末、産業用制御（ｉｎｄｕｓｔｒｉａｌ  ｃｏｎｔｒｏｌ）の無線端末、自動運転（ｓｅｌｆ  ｄｒｉｖｉｎｇ）の無線端末、遠隔医療（ｒｅｍｏｔｅ  ｍｅｄｉｃａｌ）の無線端末、スマートグリッド（ｓｍａｒｔ  ｇｒｉｄ）の無線端末、交通安全（ｔｒａｎｓｐｏｒｔａｔｉｏｎ  ｓａｆｅｔｙ）の無線端末、スマートシティ（ｓｍａｒｔ  ｃｉｔｙ）の無線端末またはスマートホーム（ｓｍａｒｔ  ｈｏｍｅ）の無線端末等であってよい。
【００９３】
基地局は、端末を無線ネットワークに接続するデバイスである。基地局には、５ＧのｇＮＢ、進化型ＮｏｄｅＢ（ｅｖｏｌｖｅｄ  ｎｏｄｅＢ，ｅＮＢ）、無線ネットワークコントローラ（ｒａｄｉｏ  ｎｅｔｗｏｒｋ  ｃｏｎｔｒｏｌｌｅｒ，ＲＮＣ）、ノードＢ（ｎｏｄｅＢ，ＮＢ）、基地局コントローラ（ｂａｓｅ  ｓｔａｔｉｏｎ  ｃｏｎｔｒｏｌｌｅｒ，ＢＳＣ）、ベーストランシーバ基地局（ｂａｓｅ  ｔｒａｎｓｃｅｉｖｅｒ  ｓｔａｔｉｏｎ，ＢＴＳ）、ホーム基地局（例えば、ｈｏｍｅ  ｅｖｏｌｖｅｄ  ｎｏｄｅＢまたはｈｏｍｅ  ｎｏｄｅＢ，ＨＮＢ）、ベースバンドユニット（ＢａｓｅＢａｎｄ  Ｕｎｉｔ，ＢＢＵ）、ｇノードＢ（ｇｎｏｄｅＢ，ｇＮＢ）、送信受信ポイント（ｔｒａｎｓｍｉｔｔｉｎｇ  ａｎｄ  ｒｅｃｅｉｖｉｎｇ  ｐｏｉｎｔ，ＴＲＰ）、送信ポイント（ｔｒａｎｓｍｉｔｔｉｎｇ  ｐｏｉｎｔ，ＴＰ）またはモバイルスイッチングセンタ等が含まれるが、これらに限定されるものではない。また、代替的に基地局は、ＷｉＦｉアクセスポイント（ａｃｃｅｓｓ  ｐｏｉｎｔ，ＡＰ）等を含んでもよい。
【００９４】
本願の実施形態は、スケジューリングなしの送信に用いられてよい（英語で"ｇｒａｎｔ  ｆｒｅｅ  ｔｒａｎｓｍｉｓｓｉｏｎ"と表現されてよい）。グラントフリー送信は、将来のネットワーク並びに低遅延性および高信頼性サービスにおける大量のＭＴＣタイプサービスの送信に用いられてよい。グラントフリー送信は、上りリンクデータ送信に特有であってよい。当業者は、グラントフリー送信は、自発アクセス、自発多元アクセスまたはコンテンションベース多元アクセス等といった別の名前を有し得ることを理解するであろう。本願の各実施形態は、非直交型多元アクセスを用いた通信システムに適用されてよい。
【００９５】
例えば、以下の３つのタイプのグラントフリー送信が存在する。
【００９６】
タイプ１：基地局が配信するグラント情報なしで、ＲＲＣ構成／再構成情報のみに基づき、上りリンクデータ送信が実行される。
【００９７】
タイプ２：上りリンクデータ送信は基地局が配信するグラント情報なしで実行されるが、グラントフリー送信が、ＲＲＣ構成情報および物理層シグナリング（例えば、Ｌ１シグナリング（ｓｉｇｎａｌｉｎｇ））の指示に基づき、アクティブ化／非アクティブ化される必要がある。
【００９８】
タイプ３：上りリンクデータ送信は基地局が配信するグラント情報なしで実行され、ＲＲＣシグナリングを介して半静的に構成される一部のパラメータは、物理層シグナリング（例えば、Ｌ１シグナリング）を介してＲＲＣ構成／再構成情報に基づき修正されてよいが、グラントフリー送信は物理層シグナリング（例えば、Ｌ１シグナリング）を介してアクティブ化／非アクティブ化される必要はない。
【００９９】
図４に示される通り、本願は、無線通信方法を提供する。方法は、図３に示されるネットワークアーキテクチャに適用可能であり、方法は以下の段階を含む。
【０１００】
段階４０１：基地局は第１の上位層シグナリングを端末に送信し、端末は基地局から第１の上位層シグナリングを受信する。
【０１０１】
実装において、グラントフリー送信がタイプ１またはタイプ３である場合、第１の上位層シグナリングは、第１の時間リソースおよび第１の周波数リソースを構成するために用いられ、第１の時間リソースおよび第１の周波数リソースは、スケジューリングなしの上りリンク送信に使用可能である。第１の時間リソースは、例えば、スロット内の固定上りリンクシンボルであってよく、換言すると、第１の時間リソースは、上りリンク送信方向で専用に用いられるシンボルである。
【０１０２】
図１および図２に示される通り、時間−周波数リソース"１"および"５"は、時間次元における第１の時間リソースおよび周波数次元における第１の周波数リソースである。
【０１０３】
換言すると、基地局は、段階４０１を実行することで、端末に対しスケジューリングなしの上りリンク送信に使用可能な時間−周波数リソースを割り当て、割り当てられた時間リソースは第１の時間リソースであり、第１の時間リソース内のシンボルは上りリンクに専用に用いられる。
【０１０４】
別の実装においては、グラントフリー送信がタイプ２である場合、第１の上位層シグナリングは、第１の周波数リソースの代わりに、第１の時間リソースを示す必要がある。第１の周波数リソースは、基地局によってＬ１シグナリングを介して示されてよい。
【０１０５】
また、グラントフリー送信がタイプ３である別の実装においては、代替的に、第１の上位層シグナリングは、第１の周波数リソースの代わりに第１の時間リソースを示してよい。第１の周波数リソースは、基地局によってＬ１シグナリングを介して示されてよい。
【０１０６】
段階４０２：基地局は下りリンク制御情報を端末に送信し、端末は基地局から下りリンク制御情報を受信する。
【０１０７】
下りリンク制御情報は、スロットのフォーマットを示すために用いられ、フォーマット（ｆｏｒｍａｔ）はｓｌｏｔ  ｆｏｒｍａｔとも称されてよい。フォーマットは、スロット内のシンボルの送信方向を示し、スロット内の上りリンクシンボルは、スケジューリングなしの上りリンク送信に使用可能な時間リソースである。
【０１０８】
スロット内のすべての上りリンクシンボルがスケジューリングなしの上りリンク送信に用いられてよく、またはスロット内の一部の上りリンクシンボルがスケジューリングなしの上りリンク送信に用いられてよい。
【０１０９】
また、スロット内に存在し且つスケジューリングなしの上りリンク送信に使用可能な上りリンクシンボルについては、スケジューリングなしの上りリンク送信は、上りリンクシンボルのすべてにより実行されてよく、あるいは、スケジューリングなしの上りリンク送信は、これらのシンボルのうち一部のみにより実行されてもよい。
【０１１０】
図４中に示される無線通信方法では、基地局は、スケジューリングなしの上りリンク送信に使用可能な第１の時間リソースおよび第１の周波数リソースを、第１の上位層シグナリングを介して示し、さらに、スロットのフォーマットを下りリンク制御情報を介して示し、スロット内の上りリンクシンボルも、スケジューリングなしの上りリンク送信に使用可能である。従って、基地局は、端末に対し、スケジューリングなしの上りリンク送信に使用可能な時間リソースを下りリンク制御情報を介して動的に割り当ててよい。第１の時間リソースが利用不可または不十分である場合、当該動的に割り当てられた時間リソースがスケジューリングなしの上りリンク送信に用いられてよく、これによりサービスの低遅延性要件および高信頼性要件を満たす。
【０１１１】
段階４０２で、特定の場合に応じ、基地局は、スロットのフォーマットを下りリンク制御情報を介して示してよい。１つのスロットが７個のシンボルを含む例を説明に用いる。各シンボルの送信方向は、上りリンク、下りリンクまたは不明であってよい（換言すると、シンボルは、不明リソース、予約リソースまたはＧＰのうちの少なくとも１つとして用いられてよい）。従って、スロットごとに、３７のフォーマットが存在する。具体的には、スロットに用いられる特定のフォーマットは、基地局によって示される。別の例では、スロットが１４個のシンボルを含む場合、スロットごとに３１４のフォーマットが存在する。
【０１１２】
実際の使用では、すべてのフォーマットが使用されないことはもちろんである。通常、使用されるべき特定のフォーマットは事前定義されており、基地局は、選択した特定のフォーマットを指示情報を介して示す。
【０１１３】
例えば、図５は、本願によるスロットフォーマットの例の図である。使用される４つのスロットフォーマットはプロトコルで定義され、第１のスロットフォーマットはすべてのシンボルが下りリンクシンボルであることを表わし、"００"として示される；第２のスロットフォーマットはすべてのシンボルが上りリンクシンボルであることを表わし、"０１"として示される；第３のスロットフォーマットは、Ｌ個の連続する下りリンクシンボル＋Ｍ個の連続する不明なシンボル＋Ｎ個の連続する上りリンクシンボルであることを表わし、第３のスロットフォーマットは"１０"として示され、Ｌ＋Ｍ＋Ｎは１つのスロット内に含まれるシンボルの個数に等しく、Ｌ＞Ｎであり、Ｌ、Ｍ、およびＮの値はプロトコルで定義される；第４のスロットフォーマットはＬ個の連続する下りリンクシンボル＋Ｍ個の連続する不明なシンボル＋Ｎ個の連続する上りリンクシンボルを表わし、第４のスロットフォーマットは"１１"として示され、Ｌ＋Ｍ＋Ｎは１つのスロット内に含まれるシンボルの個数に等しく、Ｌ＜Ｎであり、Ｌ、Ｍ、およびＮの値はプロトコルで定義される、ことを前提とする。
【０１１４】
いくつかのタイプのフォーマットに関する情報は、基地局および端末の両方に対し事前構成されている。従って、１つのスロットについて、例えば、基地局によって示されるスロットフォーマットが"００"である場合、端末は当該スロットのフォーマットは、すべてのシンボルが下りリンクに用いられることを表わしていることを認識する。別の例では、基地局によって示されるスロットフォーマットが"１１"である場合、端末は当該スロットのフォーマットは、Ｌ個の連続する下りリンクシンボル＋Ｍ個の連続する不明なシンボル＋Ｎ個の連続する上りリンクシンボルを表わし、Ｌ＜Ｎであり、Ｌ、Ｍ、およびＮの値はプロトコルで定義されていることを認識する。
【０１１５】
段階４０２で、基地局はスロットのフォーマットを下りリンク制御情報を介して示し、具体的には、候補の時間リソースセット内のスロットフォーマットを示す。実際の適用では、時間リソースセットを決定するための複数の方法が存在する。以下に、いくつかの方法の例について説明する。
【０１１６】
候補の時間リソースセットは、１または複数の無線フレームから成るセットであってよく、各無線フレームは複数のサブフレームを含み、各サブフレームは複数のスロットを含む。従って、候補の時間リソースセットは、複数のスロットを含むとみなされてよい。
【０１１７】
代替的に、候補の時間リソースセットは、１または複数のサブフレームから成るセットであってよく、各サブフレームは複数のスロットを含む。従って、候補の時間リソースセットは、複数のスロットを含むとみなされてよい。
【０１１８】
代替的に、候補の時間リソースセットは、１または複数のスロットから成るセットであってよい。この場合、候補の時間リソースセットは候補のスロットセットと称されてもよい。
【０１１９】
方法１：候補の時間リソースセットは、基地局によって示される。
【０１２０】
方法１は、段階４０２の前または後に用いられる場合、方法はさらに、基地局によって、第２の上位層シグナリングを端末に送信する段階であって、第２の上位層シグナリングは、候補の時間リソースセットを示すために用いられる、段階を含む。また、段階４０２において、下りリンク制御情報は、スロットのフォーマット、すなわち、候補の時間リソースセット内のスロットのフォーマットを示す。または、これは基地局によって配信される制御情報が、第２の上位層シグナリングによって示される候補の時間リソースセット内のスロットのフォーマットを示すことを示すものとして理解されてよい。
【０１２１】
従って、方法１では、基地局は明示的に端末に通知し、下りリンク制御情報を介して示されるスロットのフォーマットは、候補の時間リソースセット内のスロットのフォーマットである。
【０１２２】
方法２：候補の時間リソースセットは事前定義される。
【０１２３】
方法２では、基地局および端末が候補の時間リソースセット内のスロットは、第１の時間リソース以外の時間リソースのスロットであることを事前定義する。従って、端末が第１の時間リソースを決定したとき、候補の時間リソースセットが決定されてよい。方法２の別の実装では、基地局および端末は、候補の時間リソースセット内のスロットは、第１の時間リソースおよび予約リソース以外の時間リソース内のスロットであることを事前定義する。従って、端末が第１の時間リソースおよび予約リソースを決定したとき、候補の時間リソースセットが決定されてよい。方法は、具体的には、さらに以下の実装を含んでよい。
【０１２４】
実装１：端末は、第１の時間リソースを除くすべての時間リソース内の第１のスロット、または、第１の時間リソースおよび予約リソースを除くすべての時間リソース内の第１のスロットを、候補の時間リソースセットにグループ化する。第１のスロットは、送信方向を柔軟に構成可能なシンボルを含むスロットである。代替的に、これは、第１のスロットは、スロットフォーマットを柔軟に構成可能なスロットであり、換言すると、第１のスロットのスロットフォーマットは、基地局によって下りリンク制御情報を介して動的に示されることを示すものとして理解されてよい。例えば、スロットフォーマットのための指示情報は、端末のグループ共通下りリンク制御チャネル上に保持され、スロットフォーマット（ｓｌｏｔ  ｆｏｒｍａｔ）とは、スロット内のシンボルの送信方向を指す。
【０１２５】
実装２：端末は、端末の現在のシステムフレーム内の第１の時間リソース以外の別の時間リソース内の第２のスロット、または、端末の現在のシステムフレーム内の、第１の時間リソースおよび予約リソース以外の別の時間リソース内の第２のスロットを、候補の時間リソースセットにグループ化する。第２のスロットは、送信方向を柔軟に構成可能なシンボルを含むスロットである。換言すると、第２のスロットのスロットフォーマットは、基地局によって下りリンク制御情報を介して動的に示される。例えば、スロットフォーマットのための指示情報は、端末のグループ共通下りリンク制御チャネル上に保持される。
【０１２６】
実装３：端末は、端末に割り当てられた時間リソース内の、第１の時間リソース以外の別の時間リソース内の第３のスロット、または、端末に割り当てられた時間リソース内の、第１の時間リソースおよび予約リソース以外の別の時間リソース内の第３のスロットを、候補の時間リソースセットにグループ化する。第３のスロットは、送信方向を柔軟に構成可能なシンボルを含むスロットである。換言すると、第３のスロットのスロットフォーマットは、基地局によって下りリンク制御情報を介して動的に示される。例えば、スロットフォーマットのための指示情報は、端末のグループ共通下りリンク制御チャネルに保持される。
【０１２７】
従って、前述の方法１または方法２を実行することで、端末はフォーマットが下りリンク制御情報内で示された特定のスロットを決定してよい。具体的には、各スロットのフォーマットはビットで表わされてよい。例えば、図５に示される通り、事前定義されたスロットフォーマットが４つのみ存在する場合、各スロットのフォーマットは、"００"、"０１"、"１０"、"１１"のうちの１つであってよい。もちろん、Ｋ個のタイプの事前定義されたフォーマットが存在し、Ｋが１より大きい場合、各スロットが必要とするビット数は、
【数１】
2020530745.tif 000003
であることを示す。
【０１２８】
端末は、基地局によって示されるスロットのフォーマットに基づき、候補の時間リソースセット内の各スロットのフォーマットを決定してよく、さらに、基地局によって上りリンクシンボルとして示される、各スロット内の特定のシンボルを決定し、当該上りリンクシンボルを用いて、スケジューリングなしの上りリンク送信を実行してよい。
【０１２９】
前述の方法の実施形態では、スケジューリングなしの上りリンク送信を実行するために、端末が使用可能な時間リソースが示される。時間リソースに対応する周波数リソースについても、複数の実装が存在してよい。以下に、その実装について別途説明する。
【０１３０】
説明しやすくするために、本願では、下りリンク制御情報内で示される時間リソースに対応する周波数リソースは、第２の周波数リソースと称される。以下の２つの実装が存在する。
【０１３１】
実装１：第２の周波数リソースは第１の周波数リソースに等しい。
【０１３２】
この実装では、下りリンク制御情報で示された時間リソースに対応する周波数リソースは、第１の周波数リソースと同一である。端末によって、第２の周波数リソースを決定する方法は、以下の２つの特定の実装を含んでよい。実装において、第２の周波数リソースは第１の周波数リソースに等しいことが事前定義される。従って、端末は第１の周波数リソースに基づき、第２の周波数リソースを決定してよく、または、これは、端末が第１の周波数リソースを直接使用することを示すとして理解されてよい。他の実装では、基地局が第２の周波数リソースを、第３の上位層シグナリングを介して直接示す。換言すると、段階４０２の前または後に、方法はさらに、端末によって、第３の上位層シグナリングを基地局から受信する段階であって、第３の上位層シグナリングは第２の周波数リソースを示すために用いられ、第２の周波数リソースは第１の周波数リソースに等しい、段階を含む。
【０１３３】
実装１に基づき、端末は下りリンク制御情報で示されたスロット内の上りリンクシンボルおよび第２の周波数リソース上で、スケジューリングなしの上りリンク送信を実行してよい。
【０１３４】
図６（ａ）は、本願による時間−周波数リソースを割り当てる概略図である。第２の周波数リソースは第１の周波数リソースに等しく、基地局によって下りリンク制御情報を介して示された時間リソースは、柔軟な時間リソース内に存在し且つ上りリンク送信として用いられるものとして示されるシンボルである。例えば、図６（ａ）に示される通り、基地局によって示される時間リソースのフォーマットは、図５に示される第４のスロットフォーマットである。図には、１つの示されたスロットのみの時間リソースが示されているが、代替的に基地局は、候補の時間リソースセット内の複数のスロットのフォーマットを示してよいことはもちろんである。
【０１３５】
図６（ｂ）は、本願による、時間−周波数リソースを割り当てる別の模式図である。基地局は、スケジューリングなしの上りリンク送信に使用可能な時間リソースを、下りリンク制御情報を介して示す。具体的には、時間リソースは上りリンクシンボルであり、第２の周波数リソースと組み合わされて、グラントフリー上りリンク送信に使用可能な時間−周波数リソースを形成する。図６（ｂ）は、時間−周波数リソース"２"内の上りリンクシンボルおよび第２の周波数を含む時間−周波数リソース、時間−周波数リソース"５"内のすべてのスロット（換言すると、時間−周波数リソース"５"内のすべてのスロットは上りリンクシンボルである）を含む時間−周波数リソース、並びに時間−周波数リソース"６"内の上りリンクシンボルおよび第２の周波数を示す。
【０１３６】
前述の実装１では、基地局は第２の周波数リソースは第１の周波数リソースと同一であることを示すまたは事前定義し、その後、スケジューリングなしの上りリンク送信に使用可能な時間−周波数リソースが形成されるように、基地局によって下りリンク制御情報を介して示された時間リソースのフォーマットを参照して上りリンクシンボルを決定する。
【０１３７】
実装２：第２の周波数リソースは、第１の周波数リソースの部分集合である。
【０１３８】
実装において、下りリンク制御情報内で示される時間リソースに対応する周波数リソース、すなわち、第２の周波数リソースは、第１の周波数リソースの部分集合である。本明細書では、部分集合の意味は以下の通りである。すなわち、第２の周波数リソースは第１の周波数リソースと同一である、または、第２の周波数リソースは第１の周波数リソースの真部分集合である。
【０１３９】
第２の周波数リソースが第１の周波数リソースと同一である場合、前述の実装１を参照されたい。ここで詳細について再度説明はしない。
【０１４０】
第２の周波数リソースが第１の周波数リソースの真部分集合である場合、基地局は、第２の周波数リソースを第３の上位層シグナリングを介して示す。換言すると、段階４０２の前または後に、方法はさらに、端末によって、第３の上位層シグナリングを基地局から受信する段階であって、第３の上位層シグナリングは第２の周波数リソースを示すために用いられ、第２の周波数リソースは第１の周波数リソースの真部分集合である、段階を含む。
【０１４１】
実装２に基づき、端末は下りリンク制御情報内で示されたスロット内の上りリンクシンボルおよび第２の周波数リソース上で、スケジューリングなしの上りリンク送信を実行してよい。
【０１４２】
図７（ａ）は、本願による、時間−周波数リソースの割り当てのさらなる別の模式図である。第２の周波数リソースは、第１の周波数リソースの真部分集合であり、基地局によって下りリンク制御情報を介して示された時間リソースは、柔軟な時間リソース内に存在し且つ上りリンク送信に用いられるものとして示されるシンボルである。例えば、図７（ａ）に示される通り、基地局によって示される時間リソースのフォーマットは、図５中の第４のスロットフォーマットである。図には、１つの示されたスロットのみの時間リソースが示されているが、代替的に基地局は、候補の時間リソースセット内の複数のスロットのフォーマットを示してよいことはもちろんである。
【０１４３】
図７（ｂ）は、本願による、時間−周波数リソースを割り当てるさらに別の模式図である。基地局は、スケジューリングなしの上りリンク送信に使用可能な時間リソースを、下りリンク制御情報を介して示す。具体的には、時間リソースは、上りリンクシンボルであり、第２の周波数リソースと組み合わされてグラントフリー上りリンク送信に使用可能な時間−周波数リソースを形成する。図７（ｂ）は、時間−周波数リソース"２"内の上りリンクシンボルおよび第２の周波数を含む時間−周波数リソース、時間−周波数リソース"５"内の上りリンクシンボルおよび第２の周波数を含む時間−周波数リソース、並びに時間−周波数リソース"６"内の上りリンクシンボルおよび第２の周波数を含む時間−周波数リソース示す。
【０１４４】
もちろん、別の実装では、下りリンク制御情報で示された各スロットは、基地局によって第３の上位層シグナリングを介して示された第２の周波数リソースの１つにそれぞれ対応してよい。これは、代替的に、異なるスロットの第２の周波数リソースは同一であってよい、または異なってよいことを示すものとして理解されてよい。図７（ｃ）は、本願による、時間−周波数リソースの割り当てのさらなる別の模式図である。時間−周波数リソース"２"内に示される第２の周波数リソース、時間−周波数リソース"５"内に示される第２の周波数リソース、および時間−周波数リソース"６"内に示される第２の周波数リソースは互いに異なる。
【０１４５】
実際の使用において、実装２が用いられる場合、図７（ｂ）に示される実装か、図７（ｃ）に示される実装のいずれが使用されるかは、要件に基づき決定されてよいことに留意されたい。この点は、本願において限定されるものではない。
【０１４６】
前述の実装２において、基地局が第２の周波数リソースを示した後、スケジューリングなしの上りリンク送信に使用可能な時間−周波数リソースが形成されるように、基地局は、基地局によって下りリンク制御情報を介して示される時間リソースのフォーマットを参照して上りリンクシンボルを決定する。
【０１４７】
別の考え得る設計方式では、本願は、スケジューリングなしの上りリンク送信に使用可能な時間−周波数リソースを決定する方法をさらに提供する。随意で、段階４０２の前または後に、方法はさらに、基地局によって、指示情報を送信する段階であって、指示情報は第２の時間リソースを示すために用いられ、当該時間リソースおよび第１の周波数リソース以外の周波数リソースが、スケジューリングなしの上りリンク送信に使用可能である、段階を含む。説明しやすくするために、第１の周波数リソース以外の周波数リソースは、第４の周波数リソースと称される。第４の周波数リソースは、第１の周波数リソース以外の、基地局によって端末に割り当てられた利用可能な周波数リソース内の別の周波数リソースとして理解されてよい。
【０１４８】
指示情報は、明示的な指示情報であってよい。例えば、指示情報は、グループ共通ＰＤＣＣＨに保持される。代替的に、指示情報は、グループ共通ＰＤＣＣＨのサーチ空間（Ｓｅａｒｃｈ  Ｓｐａｃｅ）で、第１の制御チャネル要素（ｃｏｎｔｒｏｌ  ｃｈａｎｎｅｌ  ｅｌｅｍｅｎｔ，ＣＣＥ）によって暗黙的に示される。
【０１４９】
指示情報を受信した後、端末は、指示情報に示される第２の時間リソースを取得し、事前定義に基づき、第２の時間リソースに対応する使用される周波数リソースは第４の周波数リソースであると決定する。従って、端末は、第２の時間リソースおよび第４の周波数リソースを含む時間−周波数リソースは、スケジューリングなしの上りリンク送信に使用可能な時間−周波数リソースであると決定する。
【０１５０】
図８（ａ）は、本願による、時間−周波数リソースを割り当てるさらなる概略図である。第２の時間リソースおよび第１の時間リソースは、部分的に互いに重なっている。代替的に、第２の時間リソースおよび第１の時間リソースは、互いに重なっていなくてもよいことはもちろんである。
【０１５１】
別の実装においては、代替的に、実装は前述の実装１および実装２を組み合わせて用いてよい。例えば、第４の周波数リソースの一部が、基地局によって配信される上位層シグナリングを介して追加的に示されてよい。当該周波数リソースの一部は、第５の周波数リソースとして称され、第２の時間リソースに対応する使用される周波数リソースとして用いられる。図８（ｂ）は、本願による、時間−周波数リソースを割り当てるさらなる概略図である。端末は、第２の時間リソースおよび第５の周波数リソースを含む時間−周波数リソースが、スケジューリングなしの上りリンク送信に使用可能な時間−周波数リソースであると決定する。
【０１５２】
第２の時間リソース内の各スロットは、基地局によって配信される上位層シグナリングで示される第５の周波数リソースの１つに対応してよいことはもちろんである。代替的に、これは、異なるスロットの第５の周波数リソースは、同一であってもよく、または異なってもよいことを示すものとして理解されてよい。図８（ｃ）は、本願による、時間−周波数リソースの割り当てのさらなる概略図である。時間−周波数リソース"４"内に示された第５の周波数リソースおよび時間−周波数リソース"３"内に示された第５の周波数リソースは、互いに異なっている。
【０１５３】
別の実装では、代替的に、図８（ａ）から図８（ｃ）に示される実装は、図７（ａ）から図７（ｃ）に示される実装および図６（ａ）および図６（ｂ）に示される実装と組み合わされて、新しい実装を形成してよい。例えば、図９は本願による、時間−周波数リソースを割り当てるさらなる概略図である。実装は、図８（ａ）に示される実装および図６（ａ）に示される実装を組み合わせて形成される実装である。別の組み合わせの実装については、本願で示さないこととする。
【０１５４】
別の考え得る設計方式において、本願は、さらに、スケジューリングなしの上りリンク送信に使用可能な時間−周波数リソースを決定するための方法を提供する。随意で、段階４０２の前または後に、方法はさらに、基地局によって、上りリンクスケジューリンググラントを端末に送信する段階であって、上りリンクスケジューリンググラントはスケジューリングされた第３の時間リソースおよび第３の周波数リソースを示すために用いられ、第３の時間リソースのスロット内の未使用の上りリンクシンボルおよび第３の周波数リソースもスケジューリングなしの上りリンク送信に使用可能である、段階を含む。
【０１５５】
実装において、基地局は、端末が使用可能な上りリンクリソースを、上りリンクスケジューリングを通して示す。上りリンクリソース内の上りリンク時間−周波数リソースの一部が未使用の場合、当該未使用の上りリンク時間−周波数リソースは、スケジューリングなしの上りリンク送信を実行するために用いられてよい。
【０１５６】
実装は、前述の実装のうち任意のものと組み合わされて用いられてよい。具体的に言うと、実装は、図６（ａ）および図６（ｂ）、図７（ａ）から図７（ｃ）および図８（ａ）から８（ｃ）の実装のいずれかのものを組み合わせて用いてよい。
【０１５７】
図１０は、本願による、時間−周波数リソースを割り当てるさらに別の模式図である。実装は、図６（ａ）および図６（ｂ）、図７（ａ）から図７（ｃ）、図８（ａ）から図８（ｃ）並びに図９の実装のうちの任意のもの組み合わせて用いてよい。図１０中には、実装が図７（ａ）に示される実装と組み合わされる例が、説明のために用いられている。基地局は、３つのスロット内の一部のシンボルが上りリンクスケジューリングリソースとして用いられることを、上りリンクスケジューリンググラントを介して示す。具体的には、基地局は、第３の時間リソースおよび第３の周波数リソースを、時間−周波数リソース"２"、"３"および"４"内で別個に示す。
【０１５８】
第３の時間リソースの各スロットには、未使用の上りリンクシンボルが存在する。従って、３つのスロット内の未使用の上りリンクシンボルは、端末によって、スケジューリングなしの上りリンクリソースとして、上りリンクデータを送信するために使用されてよい。
【０１５９】
この方式では、スケジューリングなしの上りリンク送信に使用可能な時間−周波数リソースを決定するための別の方法が提供される。具体的に言うと、基地局は、上りリンクスケジューリンググラントを端末に送信し、上りリンクスケジューリンググラントは、スケジューリングされた第３の時間リソースおよび第３の周波数リソースを示すために用いられる。第３の時間リソースのスロット内に未使用の上りリンクシンボルが存在する場合、スケジューリングなしの上りリンク送信は、未使用の上りリンクシンボルおよび第３の周波数リソースを介して実行されてよく、これにより、スケジューリングなしの上りリンク送信に使用されるリソースをさらに追加し、さらに、遅延を低減し、サービス信頼性を向上させる。
【０１６０】
本願は、スケジューリングなしの上りリンクリソースを動的に端末に割り当てるための複数の方法を提供する。方法は、図６（ａ）および図６（ｂ）、図７（ａ）から図７（ｃ）、図８（ａ）から図８（ｃ）並びに図９および図１０の実装のうちのいずれであってもよい、または２または２より多い実装による組み合わせであってよい。これらの実装に基づき、スケジューリングなしの上りリンクリソースは、端末に動的に割り当てられてよく、端末のいくつかのサービスの低遅延性要件および高信頼性要件を満たす。
【０１６１】
本願では、複数の実装のうちの任意の１つまたはこれらの組み合わせにおいて、スケジューリングなしの上りリンク送信に使用可能なリソースが端末に動的に割り当てられた後、端末は、スケジューリングなしの上りリンク送信に使用可能なリソース上でデータを送信してよい。
【０１６２】
図１１は、本願による装置の概略図である。装置は、前述の実施形態のうちのいずれかにおける端末または基地局であってよい。装置は、図３中に示すシステムアーキテクチャ内の端末または端末内のチップであってよく、または図３中に示すシステムアーキテクチャ内の基地局または基地局内のチップであってよい。
【０１６３】
装置２００は、前述の無線通信方法のうちのいずれかの、端末または基地局によって実行される方法を示すよう構成されてよい。
【０１６４】
装置２００は、少なくとも１つの処理ユニット２１および通信ユニット２２を含み、随意でさらにストレージユニット２３を含む。処理ユニット２１、通信ユニット２２およびストレージユニット２３は、通信バスを介して接続されている。
【０１６５】
処理ユニット２１は、汎用中央演算処理装置（ＣＰＵ）、マイクロプロセッサ、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ，ＡＳＩＣ）、または、本発明の解決手段におけるプログラム実行を制御するよう構成された１または複数の集積回路であってよい。
【０１６６】
通信バスは、前述のユニット間で情報を送信するためのパスを含んでよい。
【０１６７】
通信ユニット２２は、送受信機機能を持つ装置であってよく、別のデバイス、またはＥｔｈｅｒｎｅｔ（登録商標）、無線アクセスネットワーク（ＲＡＮ）若しくは無線ローカルエリアネットワーク（ｗｉｒｅｌｅｓｓ  ｌｏｃａｌ  ａｒｅａ  ｎｅｔｗｏｒｋｓ，ＷＬＡＮ）等の通信ネットワークと通信するよう構成されている。
【０１６８】
ストレージユニット２３は、リードオンリメモリ（ｒｅａｄ−ｏｎｌｙ  ｍｅｍｏｒｙ，ＲＯＭ）、静的情報および命令を格納可能な別のタイプのスタティックストレージデバイス、ランダムアクセスメモリ（ｒａｎｄｏｍ  ａｃｃｅｓｓ  ｍｅｍｏｒｙ，ＲＡＭ）、または情報および命令を格納可能な別のタイプの動的ストレージデバイスであってよく、あるいは、電気的に消去可能なプログラマブルリードオンリメモリ（Ｅｌｅｃｔｒｉｃａｌｌｙ  ｅｒａｓａｂｌｅ  ｐｒｏｇｒａｍｍａｂｌｅ−ｏｎｌｙ  ｍｅｍｏｒｙ，ＥＥＰＲＯＭ）、コンパクトディスクリードオンリメモリ（ｃｏｍｐａｃｔ  ｄｉｓｃ  ｒｅａｄ−ｏｎｌｙ  ｍｅｍｏｒｙ，ＣＤ−ＲＯＭ）若しくは別の光ディスクストレージ、光ディスクストレージ（コンパクト光ディスク、レーザディスク、光ディスク、デジタル多用途ディスクまたはブルーレイディスク等を含む）、磁気ディスクストレージ媒体若しくは別の磁気ストレージデバイス、または予期されるプログラムコードを命令またはデータ構造の形態で保持または格納するよう構成されてよく且つコンピュータによってアクセス可能な任意の他の媒体であってよい。しかしながら、この点は本明細書において限定されるものではない。ストレージユニット２３は、独立して存在してよく、または、処理ユニット２１に通信バスを介して接続される。代替的に、ストレージユニット２３は処理ユニットと統合されてよい。ストレージユニット２３は、本発明の解決手段を実行するために用いられるアプリケーションプログラムコードを格納するよう構成されており、アプリケーションプログラムコードは、処理ユニット２１の制御下で実行される。処理ユニット２１は、ストレージユニット２３内に格納されたアプリケーションプログラムコードを実行するよう構成されている。
【０１６９】
特定の実装では、一実施形態において、処理ユニット２１は、１または複数のＣＰＵ、例えば、図１１中のＣＰＵ０およびＣＰＵ１を含んでよい。
【０１７０】
特定の実装では、一実施形態において、装置２００は、複数の処理ユニット、例えば、図１１中の処理ユニット２１および処理ユニット２８を含んでよい。処理ユニットの各々は、シングルコア（ｓｉｎｇｌｅ−ＣＰＵ）プロセッサであってよく、またはマルチコア（ｍｕｌｔｉ−ＣＰＵ）プロセッサであってよい。本明細書では、プロセッサは、１または複数のデバイス、回路および／またはデータ（例えば、コンピュータプログラム命令）を処理するための処理コアを指してよい。
【０１７１】
可能な設計において、装置が基地局または端末である場合、処理ユニット２１は、例えばプロセッサであってよく、通信ユニット２２は、例えば送受信機であってよく、送受信機は無線周波数回路を含む。装置はさらにストレージユニット２３を含み、ストレージユニット２３は、コンピュータで実行可能な命令を格納するよう構成されており、処理ユニット２１がストレージユニット２３に接続され、処理ユニット２１は、ストレージユニット２３内に格納されたコンピュータで実行可能な命令を実行すると、基地局または端末が、前述の実施形態のうちの任意の１つにおける無線通信方法を実行する。
【０１７２】
別の考え得る設計では、装置が基地局内のチップまたは端末内のチップである場合、処理ユニット２１は、例えばプロセッサであってよく、通信ユニット２２は、例えば入／出力インタフェース、ピンまたは回路であってよい。処理ユニット２１がストレージユニット内に格納されたコンピュータで実行可能な命令を実行してよく、その結果、チップは、前述の実施形態における無線通信方法を実行する。随意で、ストレージユニットは、チップ内のストレージユニット、例えば、レジスタまたはキャッシュである。代替的に、ストレージユニットは、基地局または端末内に存在し且つチップ外にあるストレージユニットであってよく、このようなものとしては、例えば、ＲＯＭ、静的情報および命令を格納可能な別のタイプのスタティックストレージデバイスまたはＲＡＭが含まれる。
【０１７３】
チップが無線通信方法を実行するということは、チップが、装置内の別のコンポーネントと組み合わされて、無線通信方法を完了することを示すものとして理解されてよい。
【０１７４】
例えば、チップが端末内のチップであり、チップの通信ユニットが端末の送受信機と接続されている場合、端末の送受信機は基地局から上位層シグナリングを受信してよく、従って、チップの通信ユニットは、基地局から第１の上位層シグナリングを受信してよい。さらに、端末のプロセッサは、下りリンク制御情報を受信するように、端末の送受信機を制御してよい。従って、チップの通信ユニットは、送受信機から下りリンク制御情報を受信してよく、下りリンク制御情報をチップの処理ユニットに送信してよい。このように、端末のチップは、本発明の実施形態における無線通信方法を実装する。
【０１７５】
別の例では、チップが基地局内のチップであり、チップの通信ユニットが基地局の送受信機に接続されている場合、チップの処理ユニットは、上位層シグナリングを通信ユニットを介して、基地局の送受信機に送信し、基地局の送受信機は、第１の上位層シグナリングを端末に送信する。さらに、チップの処理ユニットは、下りリンク制御情報を、通信ユニットを介して基地局の送受信機に送信し、すると、基地局の送受信機が下りリンク制御情報を端末に送信する。このように、基地局のチップは、本発明の実施形態における無線通信方法を実装する。
【０１７６】
例えば、装置が図１１に示される方法に分割される場合、処理ユニットが通信ユニットと連携して、装置が本願の前述の実施形態のうちのいずれかの無線通信方法を実装できるようにする。
【０１７７】
例えば、図１１に示される装置が、端末または端末内のチップである場合、処理ユニットは、通信ユニットを制御して、基地局から第１の上位層シグナリングを受信する段階であって、第１の上位層シグナリングは第１の時間リソースおよび第１の周波数リソースを構成するために用いられ、第１の時間リソースおよび第１の周波数リソースはスケジューリングなしの上りリンク送信に使用可能である、段階と、下りリンク制御情報を受信する段階であって、下りリンク制御情報はスロットのフォーマットを示すために用いられ、フォーマットはスロット内のシンボルの送信方向を示し、スロット内の上りリンクシンボルは、スケジューリングなしの上りリンク送信に使用可能な時間リソースである、段階と、を実行させるように構成されている。
【０１７８】
端末または端末内のチップは、本発明の実施形態における無線通信方法において端末によって実行される段階を実装するよう構成されてよいことを理解されたい。関連する機能については、前述の説明を参照されたい。ここで詳細について再度説明はしない。
【０１７９】
例えば、図１１に示される装置が、基地局または基地局内のチップである場合、処理ユニットは、通信ユニットを制御して、第１の上位層シグナリングを端末に送信する段階であって、第１の上位層シグナリングは第１の時間リソースおよび第１の周波数リソースを構成するために用いられ、第１の時間リソースおよび第１の周波数リソースはスケジューリングなしの上りリンク送信に使用可能である、段階と、下りリンク制御情報を端末に送信する段階であって、下りリンク制御情報はスロットのフォーマットを示すために用いられ、フォーマットはスロット内のシンボルの送信方向を示し、スロット内の上りリンクシンボルは、スケジューリングなしの上りリンク送信に使用可能な時間リソースである、段階と、を実行させるように構成されている。
【０１８０】
基地局または基地局内のチップは、本発明の実施形態における無線通信方法において基地局によって実行される段階を実装するよう構成されてよいことを理解されたい。関連する機能については、前述の説明を参照されたい。ここで詳細について再度説明はしない。
【０１８１】
本願は、さらに、コンピュータ可読記憶媒体を提供する。コンピュータ可読記憶媒体は命令を格納し、命令がコンピュータ上で実行されると、コンピュータは無線通信方法を実行する。コンピュータは、端末または基地局であってよい。
【０１８２】
本願は、コンピュータプログラムプロダクトを提供する。コンピュータプログラムプロダクトは、コンピュータソフトウェア命令を含み、コンピュータソフトウェア命令がプロセッサによりロードされて、前述の実施形態のうちのいずれかの無線通信方法のプロシージャを実装してよい。
【０１８３】
本願における本明細書の前述の説明は、当業者が本願の内容を使用または実装することを可能にしてよい。当該開示内容に基づきなされる任意の修正は、当該技術分野において自明であるとみなされるべきである。本願に記載された基本原理は、本願の本質および範囲を逸脱することなく、他の変形例に適用されてよい。従って、本願の開示内容は、記載された実施形態および設計のみに限定されず、さらに、当該原理および本願で新しく開示した特徴と整合する最大範囲にまで拡張されてよい。
【図１】
2020530745.tif 000004
【図２】
2020530745.tif 000005
【図３】
2020530745.tif 000006
【図４】
2020530745.tif 000007
【図５】
2020530745.tif 000008
【図６（ａ）】
2020530745.tif 000009
【図６（ｂ）】
2020530745.tif 000010
【図７（ａ）】
2020530745.tif 000011
【図７（ｂ）】
2020530745.tif 000012
【図７（ｃ）】
2020530745.tif 000013
【図８（ａ）】
2020530745.tif 000014
【図８（ｂ）】
2020530745.tif 000015
【図８（ｃ）】
2020530745.tif 000016
【図９】
2020530745.tif 000017
【図１０】
2020530745.tif 000018
【図１１】
2020530745.tif 000019
【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
端末または前記端末内のチップによる無線通信方法であって、
基地局から第１の上位層シグナリングを受信する段階であって、前記第１の上位層シグナリングは第１の時間リソースおよび第１の周波数リソースを構成し、前記第１の時間リソースおよび前記第１の周波数リソースは、スケジューリングなしの上りリンク送信に使用可能である、段階と、
下りリンク制御情報を受信する段階であって、前記下りリンク制御情報はスロットのフォーマットを示し、前記フォーマットは前記スロット内のシンボルの送信方向を示す、段階と、を備え、
前記スロット内の上りリンクシンボルは、前記スケジューリングなしの上りリンク送信に使用可能な時間リソースである、方法。
【請求項２】
前記方法は、さらに、
前記基地局から第２の上位層シグナリングを受信する段階であって、前記第２の上位層シグナリングは前記スロットを含む少なくとも１つの候補スロットを示す、段階を備える、請求項１に記載の方法。
【請求項３】
前記方法は、さらに、
前記基地局から第３の上位層シグナリングを受信する段階であって、前記第３の上位層シグナリングは第２の周波数リソースを示し、前記第２の周波数リソースは前記第１の周波数リソースの部分集合である、段階を備え、
前記スロット内の上りリンクシンボルおよび前記第２の周波数リソースは、前記スケジューリングなしの上りリンク送信に使用可能である、請求項１に記載の方法。
【請求項４】
前記基地局から指示情報を受信する段階であって、前記指示情報は第２の時間リソースを示し、前記時間リソースおよび前記第１の周波数リソース以外の周波数リソースは、前記スケジューリングなしの上りリンク送信に使用可能である、段階をさらに備える、請求項１から３のいずれか一項に記載の方法。
【請求項５】
上りリンクスケジューリンググラントを受信する段階であって、前記上りリンクスケジューリンググラントはスケジューリングされた第３の時間リソースおよび第３の周波数リソースを示す、段階をさらに備え、
前記第３の時間リソースのスロット内の未使用の上りリンクシンボルおよび前記第３の周波数リソースも、前記スケジューリングなしの上りリンク送信に使用可能である、請求項１から４のいずれか一項に記載の方法。
【請求項６】
前記スケジューリングなしの上りリンク送信に使用可能なリソース上でデータを送信する段階をさらに備える、請求項１から５のいずれか一項に記載の方法。
【請求項７】
基地局または前記基地局内のチップによる無線通信方法であって、
第１の上位層シグナリングを端末に送信する段階であって、前記第１の上位層シグナリングは第１の時間リソースおよび第１の周波数リソースを構成し、前記第１の時間リソースおよび前記第１の周波数リソースは、スケジューリングなしの上りリンク送信に使用可能である、段階と、
下りリンク制御情報を前記端末に送信する段階であって、前記下りリンク制御情報はスロットのフォーマットを示し、前記フォーマットは前記スロット内のシンボルの送信方向を示す、段階と、を備え、
前記スロット内の上りリンクシンボルは、前記スケジューリングなしの上りリンク送信に使用可能な時間リソースである、方法。
【請求項８】
前記方法は、さらに、
第２の上位層シグナリングを前記端末に送信する段階であって、前記第２の上位層シグナリングは前記スロットを含む少なくとも１つの候補スロットを示す、段階を備える、請求項７に記載の方法。
【請求項９】
前記方法は、さらに、
第３の上位層シグナリングを前記端末に送信する段階であって、前記第３の上位層シグナリングは第２の周波数リソースを示し、前記第２の周波数リソースは前記第１の周波数リソースの部分集合である、段階を備え、
前記スロット内の上りリンクシンボルおよび前記第２の周波数リソースは、前記スケジューリングなしの上りリンク送信に使用可能である、請求項７に記載の方法。
【請求項１０】
指示情報を前記端末に送信する段階であって、前記指示情報は第２の時間リソースを示し、前記時間リソースおよび前記第１の周波数リソース以外の周波数リソースは、前記スケジューリングなしの上りリンク送信に使用可能である、段階をさらに備える、請求項７から９のいずれか一項に記載の方法。
【請求項１１】
上りリンクスケジューリンググラントを前記端末に送信する段階であって、前記上りリンクスケジューリンググラントはスケジューリングされた第３の時間リソースおよび第３の周波数リソースを示す、段階をさらに備え、
前記第３の時間リソースのスロット内の未使用の上りリンクシンボルおよび前記第３の周波数リソースも、前記スケジューリングなしの上りリンク送信に使用可能である、請求項７から１０のいずれか一項に記載の方法。
【請求項１２】
前記スケジューリングなしの上りリンク送信に使用可能なリソース上で、前記端末によって送信されたデータを受信する段階をさらに備える、請求項７から１１のいずれか一項に記載の方法。
【請求項１３】
処理ユニットおよび通信ユニットを備える装置であって、
前記処理ユニットが前記通信ユニットを制御して、
基地局から第１の上位層シグナリングを受信する手順であって、前記第１の上位層シグナリングは第１の時間リソースおよび第１の周波数リソースを構成し、前記第１の時間リソースおよび前記第１の周波数リソースは、スケジューリングなしの上りリンク送信に使用可能である、手順と、
下りリンク制御情報を受信する手順であって、前記下りリンク制御情報はスロットのフォーマットを示し、前記フォーマットは前記スロット内のシンボルの送信方向を示す、手順と、を実行させるよう構成されており、
前記スロット内の上りリンクシンボルは、前記スケジューリングなしの上りリンク送信に使用可能な時間リソースである、装置。
【請求項１４】
前記処理ユニットは、さらに、前記通信ユニットを制御して、
前記基地局から第２の上位層シグナリングを受信する手順であって、前記第２の上位層シグナリングは前記スロットを含む少なくとも１つの候補スロットを示す、手順を実行させるよう構成されている、請求項１３に記載の装置。
【請求項１５】
前記処理ユニットは、さらに、前記通信ユニットを制御して、
前記基地局から第３の上位層シグナリングを受信する手順であって、前記第３の上位層シグナリングは第２の周波数リソースを示し、前記第２の周波数リソースは前記第１の周波数リソースの部分集合である、手順を実行させるよう構成されており、
前記スロット内の上りリンクシンボルおよび前記第２の周波数リソースは、前記スケジューリングなしの上りリンク送信に使用可能である、請求項１３に記載の装置。
【請求項１６】
前記処理ユニットは、さらに、前記通信ユニットを制御して、
前記基地局から指示情報を受信する手順であって、前記指示情報は第２の時間リソースを示し、前記時間リソースおよび前記第１の周波数リソース以外の周波数リソースが、前記スケジューリングなしの上りリンク送信に使用可能である、手順を実行させるよう構成されている、請求項１３から１５のいずれか一項に記載の装置。
【請求項１７】
前記処理ユニットは、さらに、前記通信ユニットを制御して、
上りリンクスケジューリンググラントを受信する手順であって、前記上りリンクスケジューリンググラントはスケジューリングされた第３の時間リソースおよび第３の周波数リソースを示す、手順を実行させるよう構成されており、
前記第３の時間リソースのスロット内の未使用の上りリンクシンボルおよび前記第３の周波数リソースも、前記スケジューリングなしの上りリンク送信に使用可能である、請求項１３から１６のいずれか一項に記載の装置。
【請求項１８】
前記処理ユニットは、さらに、前記通信ユニットを制御して、
前記スケジューリングなしの上りリンク送信に使用可能なリソース上でデータを送信する手順を実行させるよう構成されている、請求項１３から１７のいずれか一項に記載の装置。
【請求項１９】
処理ユニットおよび通信ユニットを備える装置であって、
前記処理ユニットが前記通信ユニットを制御して、
第１の上位層シグナリングを端末に送信する手順であって、前記第１の上位層シグナリングは第１の時間リソースおよび第１の周波数リソースを構成し、前記第１の時間リソースおよび前記第１の周波数リソースは、スケジューリングなしの上りリンク送信に使用可能である、手順と、
下りリンク制御情報を前記端末に送信する手順であって、前記下りリンク制御情報はスロットのフォーマットを示し、前記フォーマットは前記スロット内のシンボルの送信方向を示す、手順と、を実行させるよう構成されており、
前記スロット内の上りリンクシンボルは、前記スケジューリングなしの上りリンク送信に使用可能な時間リソースである、装置。
【請求項２０】
前記処理ユニットは、前記通信ユニットを制御して、
第２の上位層シグナリングを前記端末に送信する手順であって、前記第２の上位層シグナリングは前記スロットを含む少なくとも１つの候補スロットを示す、手順を実行させるよう構成されている、請求項１９に記載の装置。
【請求項２１】
前記処理ユニットは、さらに、前記通信ユニットを制御して、
第３の上位層シグナリングを前記端末に送信する手順であって、前記第３の上位層シグナリングは第２の周波数リソースを示し、前記第２の周波数リソースは前記第１の周波数リソースの部分集合である、手順を実行させるよう構成されており、
前記スロット内の上りリンクシンボルおよび前記第２の周波数リソースは、前記スケジューリングなしの上りリンク送信に使用可能である、請求項１９に記載の装置。
【請求項２２】
前記処理ユニットは、さらに、前記通信ユニットを制御して、
指示情報を前記端末に送信する手順であって、前記指示情報は第２の時間リソースを示し、前記時間リソースおよび前記第１の周波数リソース以外の周波数リソースが、前記スケジューリングなしの上りリンク送信に使用可能である、手順を実行させるよう構成されている、請求項１９から２１のいずれか一項に記載の装置。
【請求項２３】
前記処理ユニットは、さらに、前記通信ユニットを制御して、
上りリンクスケジューリンググラントを前記端末に送信する手順であって、前記上りリンクスケジューリンググラントはスケジューリングされた第３の時間リソースおよび第３の周波数リソースを示す、手順を実行させるよう構成されており、
前記第３の時間リソースのスロット内の未使用の上りリンクシンボルおよび前記第３の周波数リソースも、前記スケジューリングなしの上りリンク送信に使用可能である、手順をさらに実行させる、よう構成されている、請求項１９から２２のいずれか一項に記載の装置。
【請求項２４】
前記処理ユニットは、さらに、前記通信ユニットを制御して、
前記スケジューリングなしの上りリンク送信に使用可能なリソース上で、前記端末によって送信されたデータを受信する手順を実行させるよう構成されている、請求項１９から２３のいずれか一項に記載の装置。
【請求項２５】
コンピュータに、請求項１から１２のいずれか一項に記載の方法を実行させるための、コンピュータプログラム。
【請求項２６】
請求項１から１２のいずれか一項に記載の方法を実行するよう構成された装置。
【手続補正２】
【補正対象書類名】明細書
【補正対象項目名】全文
【補正方法】変更
【補正の内容】
【発明の詳細な説明】
【技術分野】
【０００１】
本願は、モバイル通信技術の分野に関し、特に、無線通信方法および装置に関する。
【背景技術】
【０００２】
第５世代（５ｔｈ  ｇｅｎｅｒａｔｉｏｎ，  ５Ｇ）通信においては、グラントフリー上りリンク送信がサポートされる。グラントフリー上りリンク送信は、スケジューリングなしの上りリンク送信またはグラントなしの上りリンク送信とも称され、これは、上りリンクデータが基地局によるスケジューリングがなされずに送信されることを意味し、代わりに端末は、サービスデータの到着状態に基づき、基地局により事前に割り当てられた時間−周波数リソース上で上りリンクデータを送信する。
【０００３】
グラントフリー上りリンク送信のために用いられるリソース等の事前に割り当てられた時間−周波数リソースは、無線リソース制御（Ｒａｄｉｏ  Ｒｅｓｏｕｒｃｅ  Ｃｏｎｔｒｏｌ，ＲＲＣ）シグナリング等の、上位層シグナリングを介して半静的に構成される。時間−周波数リソースを構成することは、具体的には、次のことが含まれる。
（１）時間リソース（時間領域リソースとも称される）を構成し、時間リソースは、半静的送信リソースの期間値およびシステムフレーム番号ＳＦＮ：０に対する事前構成された時間リソースのオフセット値を含む。および
（２）周波数リソース（周波数領域リソースとも称される）を構成する。具体的に言うと、グラントフリー上りリンク送信に用いられる予約された周波数リソースを構成する。換言すると、端末に割り当てられた周波数リソースの一部がグラントフリー上りリンク送信のために予約される。
【０００４】
グラントフリー上りリンク送信のために時間リソースを半静的に構成する前述の方法に関する現在の主な課題は、以下の通りである。すなわち、超高信頼性および低遅延通信（Ｕｌｔｒａ−ｒｅｌｉａｂｌｅ  ａｎｄ  ｌｏｗ  ｌａｔｅｎｃｙ  ｃｏｍｍｕｎｉｃａｔｉｏｎｓ，ＵＲＬＬＣ）サービス等の低遅延サービスが存在する場合において、現在のサブフレームまたはスロットに、グラントフリー上りリンク送信に用いられる半静的に構成された時間リソースが含まれていないとき、サービスデータの送信遅延が増大し、低遅延サービスの低遅延性要件を満たせない。また、低遅延サービスの数が増え、リソースが不十分であり、送信競合および衝突が増加する場合、端末のいくつかのサービスの高信頼性要件が満たせない。
【発明の概要】
【０００５】
本願は、端末の一部のサービスの低遅延性要件および高信頼性要件を満たす助けとなる無線通信方法および装置を提供する。
【０００６】
前述の目的を達成すべく、本願は、以下の技術的解決手段を提供する。
【０００７】
第１の態様により、無線通信方法が提供され、当該方法は、端末または端末内のチップによって実行されてよい。方法は、基地局から第１の上位層シグナリングを受信する段階であって、第１の上位層シグナリングは第１の時間リソースおよび第１の周波数リソースを構成するために用いられ、第１の時間リソースおよび第１の周波数リソースはスケジューリングなしの上りリンク送信に使用可能であり、段階と、下りリンク制御情報を受信する段階であって、下りリンク制御情報はスロットのフォーマットを示すために用いられ、フォーマットはスロット内のシンボルの送信方向を示し、スロット内の上りリンクシンボルはスケジューリングなしの上りリンク送信に使用可能な時間リソースである、段階と、を含む。方法において、基地局によって、端末に下りリンク制御情報を介して動的に割り当てられ、スケジューリングなしの上りリンク送信に使用可能な時間リソースが受信される。第１の時間リソースが利用不可または不十分である場合、動的に割り当てられた時間リソースが、スケジューリングなしの上りリンク送信の実行に用いられて、端末の一部のサービスの低遅延性要件および高信頼性要件を満たしてよい。
【０００８】
随意で、スロット内に存在し且つスケジューリングなしの上りリンク送信に使用可能な上りリンクシンボルについては、スケジューリングなしの上りリンク送信は、上りリンクシンボルのすべてにより実行されてよく、あるいは、スケジューリングなしの上りリンク送信は、これらのシンボルのうち一部のみにより実行されてもよい。
【０００９】
随意で、時間リソースは、固定時間リソースおよび柔軟な時間リソースを含む。固定時間リソース内の各シンボルの送信方向は、基地局によって上位層シグナリングを介して半静的に構成される。柔軟な時間リソース内の各シンボルの送信方向は、基地局によって下りリンク制御情報を介して動的に示される。
【００１０】
随意で、固定時間リソースは、固定上りリンクシンボルおよび／または固定下りリンクシンボルを含む。
【００１１】
随意で、固定時間リソースはスロットであり、柔軟な時間リソースはスロットである。
【００１２】
随意で、固定時間リソースはサブフレームであり、柔軟な時間リソースはサブフレームであり、１つのサブフレームは１または複数のスロットを含む。
【００１３】
随意で、固定時間リソースはシステムフレームであり、柔軟な時間リソースはシステムフレームであり、１つのシステムフレームは、１または複数のサブフレームを含み、１つのサブフレームは１または複数のスロットを含む。
【００１４】
随意で、時間リソースは、さらに固定時間リソースおよび柔軟な時間リソースに加え、予約リソースを含み、予約リソースは下りリンク送信または上りリンク送信に用いられない。
【００１５】
第１の態様の発明コンセプトと同一の発明コンセプトに基づき、可能な設計において、別の無線通信方法がさらに提供され、方法は端末または端末内のチップによって実行されてよい。方法は、基地局から第１の上位層シグナリングを受信する段階であって、上記第１の上位層シグナリングは第１の時間リソースを構成するために用いられ、上記第１の時間リソースは、スケジューリングなしの上りリンク送信に使用可能である、段階と、下りリンク制御情報を受信する段階であって、上記下りリンク制御情報はスロットのフォーマットを示すために用いられ、上記フォーマットは上記スロット内のシンボルの送信方向を示し、上記スロット内の上りリンクシンボルは、前記スケジューリングなしの上りリンク送信に使用可能な時間リソースである、段階と、を備える。無線通信方法と、第１の態様の無線通信方法との主な差異は、基地局が第１の上位層シグナリングを介して端末に対し第１の時間リソースを構成するが、第１の周波数リソースは第１の上位層シグナリングを介して構成される必要がなくてよく、この方法の他の部分の説明は、第１の態様の実装における方法と同一である。無線通信方法は、基地局が時間リソースを端末に割り当てるシナリオに適用可能である。割り当てられた時間リソースが不十分である場合、時間リソースは動的に追加されてよい。随意で、第１の周波数リソースが、基地局からさらに受信される。例えば、第１の周波数リソースは、物理層でのアクティブ化シグナリングで示される。
【００１６】
随意で、以下の３つのタイプのグラントフリー送信が存在する。
【００１７】
タイプ１：基地局が配信するグラント情報なしで、ＲＲＣ構成／再構成情報のみに基づき、上りリンクデータ送信が実行される。
【００１８】
タイプ２：上りリンクデータ送信は基地局が配信するグラント情報なしで実行されるが、グラントフリー送信が、ＲＲＣ構成情報および物理層シグナリング（例えば、Ｌ１シグナリング（ｓｉｇｎａｌｉｎｇ））の指示に基づき、アクティブ化／非アクティブ化される必要がある。
【００１９】
タイプ３：上りリンクデータ送信は基地局が配信するグラント情報なしで実行され、ＲＲＣシグナリングを介して半静的に構成される一部のパラメータは、物理層シグナリング（例えば、Ｌ１シグナリング）を介してＲＲＣ構成／再構成情報に基づき修正されてよいが、グラントフリー送信は物理層シグナリング（例えば、Ｌ１シグナリング）を介してアクティブ化／非アクティブ化される必要はない。
【００２０】
随意で、グラントフリー送信がタイプ１である場合、第１の上位層シグナリングは、第１の時間リソースおよび第１の周波数リソースを構成するために用いられ、第１の時間リソースおよび第１の周波数リソースは、スケジューリングなしの上りリンク送信に使用可能である。
【００２１】
随意で、グラントフリー送信がタイプ３である場合、第１の上位層シグナリングは、第１の時間リソースおよび第１の周波数リソースを構成するために用いられ、第１の時間リソースおよび第１の周波数リソースは、スケジューリングなしの上りリンク送信に使用可能である。
【００２２】
随意で、グラントフリー送信がタイプ２である場合、第１の上位層シグナリングは、第１の周波数リソースの代わりに、第１の時間リソースを示す必要がある。第１の周波数リソースは、基地局によってＬ１シグナリングを介して示されてよい。
【００２３】
随意で、グラントフリー送信がタイプ３である場合、第１の上位層シグナリングは、第１の周波数リソースの代わりに、第１の時間リソースを示す必要がある。第１の周波数リソースは、基地局によってＬ１シグナリングを介して示されてよい。
【００２４】
第１の時間リソースは、例えば、スロット内の固定上りリンクシンボルであってよく、換言すると、第１の時間リソースは、上りリンク送信方向で専用に用いられるシンボルである。
【００２５】
可能な設計において、第２の上位層シグナリングが基地局から受信され、第２の上位層シグナリングは候補の時間リソースセットを示すために用いられ、スロットは候補の時間リソースセットに属する。方法において、基地局は、第２の上位層シグナリングを介して候補の時間リソースセットを示し、セット内のスロットは、端末がスケジューリングなしの上りリンク送信を実行するために用いられる候補スロットである。具体的に言うと、セット内の任意のスロットが、端末によってスケジューリングなしの上りリンク送信を実行するために用いられてよい。代替的に、これは、セット内の任意のスロットのシンボルの一部または全部が、基地局によって上りリンクシンボルとして構成される場合、上りリンクシンボルは、スケジューリングなしの上りリンク送信に用いられてよいことを示すものとして理解されてよい。
【００２６】
随意で、候補の時間リソースセットは１または複数の無線フレームを含み、各無線フレームは複数のサブフレームを含み、各サブフレームは複数のスロットを含む。代替的に、実装は、候補の時間リソースセットが１または複数のスロットを含むことを示すものとして理解されてよい。
【００２７】
随意で、候補の時間リソースセットは、１または複数のサブフレームを含み、各サブフレームは複数のスロットを含む。代替的に、実装は、候補の時間リソースセットは１または複数のスロットを含むことを示すものとして理解されてよい。
【００２８】
随意で、候補の時間リソースセットは１または複数のスロットを含む。この実装においては、候補の時間リソースセットは、候補のスロットセットとも称され得る。
【００２９】
可能な設計において、候補の時間リソースセットは、基地局によって上位層シグナリングを介して示されなくてもよい。代わりに、候補の時間リソースセットは事前定義される。代替的に、候補の時間リソースセットは、端末によって決定される。
【００３０】
随意で、端末または端末グループのチップは、第１の時間リソースを除くすべての時間リソース内の第１のスロット、または、第１の時間リソースおよび予約リソースを除くすべての時間リソース内の第１のスロットを、候補の時間リソースセット内にグループ化し、第１のスロットは、構成可能な送信方向に用いられるシンボルを含むスロットを指す。代替的に、これは、第１のスロットはスロットフォーマットが構成可能なスロットであり、スロットフォーマット（ｓｌｏｔ  ｆｏｒｍａｔ）は、スロット内のシンボルの送信方向を指すことを示すものとして理解されてよい。
【００３１】
随意で、端末または端末のチップは、端末の現在のシステムフレーム内の第１の時間リソース以外の別の時間リソース内の第２のスロット、または、端末の現在のシステムフレーム内の第１の時間リソースおよび予約リソース以外の別の時間リソース内の第２のスロットを、候補の時間リソースセットにグループ化する。第２のスロットは、構成可能な送信方向で用いられるシンボルを含むスロットである。
【００３２】
随意で、端末はまたは端末のチップは、端末に割り当てられた時間リソース内の、第１の時間リソース以外の別の時間リソース内の第３のスロット、または、端末に割り当てられた時間リソース内の、第１の時間リソースおよび予約リソース以外の別の時間リソース内の第３のスロットを、候補の時間リソースセットにグループ化する。第３のスロットは、構成可能な送信方向で用いられるシンボルを含むスロットである。
【００３３】
可能な設計において、第３の上位層シグナリングが基地局から受信され、上記第３の上位層シグナリングは第２の周波数リソースを示すために用いられ、上記第２の周波数リソースは上記第１の周波数リソースの部分集合であり、上記スロット内の上りリンクシンボルおよび上記第２の周波数リソースは、上記スケジューリングなしの上りリンク送信に使用可能である。端末は、時間次元におけるスロットの上りリンクシンボル上で、スケジューリングなしの上りリンク送信を実行してよい。随意で、端末は、周波数次元における第１の周波数リソース上で、スケジューリングなしの上りリンク送信を実行してよい。随意で、代替的に、端末は、第２の周波数リソース上でスケジューリングなしの上りリンク送信を実行してよい。第２の周波数リソースは、基地局によって、第３の上位層シグナリングを介して示され、第２の周波数リソースは、第１の周波数リソースの部分集合である。換言すると、第２の周波数リソースは、第１の周波数リソースと等しくてよく、または、第１の周波数リソースの一部（すなわち、真部分集合）であってよい。随意で、第２の周波数リソースが第１の周波数リソースに等しい場合、代替的に基地局は、第３の上位層シグナリングを送信しなくてよい。換言すると、基地局が第３の上位層シグナリングを送信しない場合、端末の第２の周波数リソースが第１の周波数リソースに等しいことが事前定義されてよい。
【００３４】
可能な設計において、指示情報は基地局から受信され、上記指示情報は第２の時間リソースを示すために用いられ、上記時間リソースおよび上記第１の周波数リソース以外の周波数リソースは、上記スケジューリングなしの上りリンク送信に使用可能である。方法において、基地局は、第２の時間リソースを指示情報を介して示し、端末は、第２の時間リソースおよび第１の周波数リソース以外の周波数リソース上でスケジューリングなしの上りリンク送信を実行する。このように、第１の周波数に加え、スケジューリングなしの上りリンク送信に用いられる周波数リソースが追加され、スケジューリングなしの上りリンク送信に用いられるリソースがさらに追加される。従って、遅延はさらに低減されてよく、サービス信頼性が向上されてよい。
【００３５】
可能な設計において、上りリンクスケジューリンググラントが受信される。上りリンクスケジューリンググラントはスケジューリングされた第３の時間リソースおよび第３の周波数リソースを示すために用いられ、第３の時間リソースのスロット内の未使用の上りリンクシンボルおよび第３の周波数リソースも、スケジューリングなしの上りリンク送信に使用可能である。方法において、スケジューリングなしの上りリンク送信に使用可能な時間−周波数リソースを決定するための別の方法が提供される。具体的に言うと、基地局は、上りリンクスケジューリンググラントを端末に送信し、上りリンクスケジューリンググラントは、スケジューリングされた第３の時間リソースおよび第３の周波数リソースを示すために用いられる。第３の時間リソースのスロット内に未使用の上りリンクシンボルが存在する場合、スケジューリングなしの上りリンク送信は、未使用の上りリンクシンボルおよび第３の周波数リソースを介して実行されてよく、これにより、さらに、スケジューリングなしの上りリンク送信に用いられるリソースを追加し、さらに、遅延を低減し、サービス信頼性を向上させる。
【００３６】
可能な設計において、スケジューリングなしの上りリンク送信に使用可能なリソース上でデータは送信される。
【００３７】
第２の態様により、無線通信方法が提供され、方法は、基地局または基地局内のチップによって実行されてよい。方法は、第１の上位層シグナリングを端末に送信する段階であって、上記第１の上位層シグナリングは第１の時間リソースおよび第１の周波数リソースを構成するために用いられ、上記第１の時間リソースおよび上記第１の周波数リソースは、スケジューリングなしの上りリンク送信に使用可能である、段階と、下りリンク制御情報を上記端末に送信する段階であって、上記下りリンク制御情報はスロットのフォーマットを示すために用いられ、上記フォーマットは上記スロット内のシンボルの送信方向を示す、段階と、を備え、上スロット内の上りリンクシンボルは、上記スケジューリングなしの上りリンク送信に使用可能な時間リソースである。
【００３８】
可能な設計において、第２の上位層シグナリングは上記端末に送信され、上記第２の上位層シグナリングは候補のスロットセットを示すために用いられ、上記スロットは上記候補のスロットセットに属する。
【００３９】
可能な設計において、第３の上位層シグナリングが上記端末に送信され、上記第３の上位層シグナリングは第２の周波数リソースを示すために用いられ、上記第２の周波数リソースは上記第１の周波数リソースの部分集合であり、上記スロット内の上りリンクシンボルおよび上記第２の周波数リソースは、上記スケジューリングなしの上りリンク送信に使用可能である。
【００４０】
可能な設計において、指示情報を上記端末に送信され、上記指示情報は第２の時間リソースを示すために用いられ、上記時間リソースおよび上記第１の周波数リソース以外の周波数リソースは、上記スケジューリングなしの上りリンク送信に使用可能である。
【００４１】
可能な設計において、上りリンクスケジューリンググラントが端末に送信される。上りリンクスケジューリンググラントは、スケジューリングされた第３の時間リソースおよび第３の周波数リソースを示すために用いられ、第３の時間リソースのスロット内の未使用の上りリンクシンボルおよび第３の周波数リソースも、スケジューリングなしの上りリンク送信に使用可能である。
【００４２】
可能な設計において、スケジューリングなしの上りリンク送信に使用可能なリソース上で端末によって送信されたデータが受信される。
【００４３】
第３の態様により、本願は、装置を提供する。装置は、端末または端末内のチップであってよい。装置は、第１の態様の各実施形態を実装する機能を有する。機能は、ハードウェアによって実装されてよく、あるいは対応するソフトウェアを実行するハードウェアによって実装されてよい。ハードウェアまたはソフトウェアは、前述の機能に対応する１または複数のモジュールを含む。
【００４４】
可能な設計において、装置が端末である場合、端末は、処理ユニットおよび通信ユニットを含む。処理ユニットは、例えば、プロセッサであってよい。通信ユニットは、例えば、送受信機であってよく、送受信機は無線周波数回路を含む。随意で、端末はさらに、ストレージユニットを含み、ストレージユニットは、例えばメモリであってよい。端末はストレージユニットを含む場合、ストレージユニットは、コンピュータで実行可能な命令を格納するよう構成されている。処理ユニットは、ストレージユニットに接続されている。処理ユニットは、ストレージユニット内に格納されたコンピュータで実行可能な命令を実行すると、端末は、第１の態様の任意の設計の無線通信方法を実行する。
【００４５】
別の考え得る設計において、装置が端末内のチップである場合、チップは処理ユニットおよび通信ユニットを含み、処理ユニットは、例えばプロセッサであってよく、通信ユニットは例えば、入／出力インタフェース、ピンまたは回路であってよい。処理ユニットは、ストレージユニット内に格納されたコンピュータで実行可能な命令を実行してよく、その結果、端末内のチップが、第１の態様の任意の設計における無線通信方法を実行する。随意で、ストレージユニットは、チップ内のストレージユニットであり、例えば、レジスタまたはキャッシュである。代替的に、ストレージユニットは、端末であり且つチップ外にあるストレージユニットであってよく、例えば、リードオンリメモリ（ｒｅａｄ−ｏｎｌｙ  ｍｅｍｏｒｙ，ＲＯＭ）、静的情報および命令を格納可能な別のタイプのスタティックストレージデバイス、またはランダムアクセスメモリ（ｒａｎｄｏｍ  ａｃｃｅｓｓ  ｍｅｍｏｒｙ，ＲＡＭ）であってよい。
【００４６】
前述の設計で言及された任意のいずれかのプロセッサは、汎用中央演算処理装置（ＣＰＵ）、マイクロプロセッサ、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ，ＡＳＩＣ）、または、第１の態様の無線通信方法のプログラム実行を制御する１または複数の集積回路であってよい。
【００４７】
第４の態様により、本願は装置を提供する。装置は、基地局または基地局内のチップであってよい。装置は、第２の態様の各実施形態を実装する機能を有する。機能は、ハードウェアによって実装されてよく、または対応するソフトウェアを実行するハードウェアによって実装されてもよい。ハードウェアまたはソフトウェアは、前述の機能に対応する１または複数のモジュールを含む。
【００４８】
可能な設計において、装置が基地局である場合、基地局は、処理ユニットおよび通信ユニットを含む。処理ユニットは、例えばプロセッサであってよい。通信ユニットは、例えば、送受信機であってよく、送受信機は無線周波数回路を含む。随意で、基地局は、さらに、ストレージユニットを含み、ストレージユニットは例えばメモリであってよい。基地局がストレージユニットを含む場合、ストレージユニットは、コンピュータで実行可能な命令を格納するよう構成されている。処理ユニットは、ストレージユニットに接続されている。処理ユニットがストレージユニット内に格納されたコンピュータで実行可能な命令を実行すると、基地局は、第２の態様の任意の設計の無線通信方法を実行する。
【００４９】
別の考え得る設計において、装置が基地局内のチップである場合、チップは処理ユニットおよび通信ユニットを含み、処理ユニットは、例えばプロセッサであってよく、通信ユニットは例えば、入／出力インタフェース、ピンまたは回路であってよい。処理ユニットは、ストレージユニット内に格納されたコンピュータで実行可能な命令を実行してよく、その結果、基地局内のチップが、第２の態様の任意の設計における無線通信方法を実行する。随意で、ストレージユニットはチップ内のストレージユニットであり、例えば、レジスタまたはキャッシュである。代替的に、ストレージユニットは、基地局内に存在し且つチップ外にあるストレージユニットであってよく、このようなものとしては、例えば、ＲＯＭ、静的情報および命令を格納可能な別のタイプのスタティックストレージデバイスまたはＲＡＭが含まれる。
【００５０】
前述の設計の任意の１つにおいて言及したプロセッサは、ＣＰＵ、マイクロプロセッサ、ＡＳＩＣ、または、第２の態様の無線通信方法のプログラム実行を制御するための１または複数の集積回路であってよい。
【００５１】
第５の態様により、本願は、コンピュータ可読記憶媒体を提供し、コンピュータ可読記憶媒体は、命令を格納する。命令がコンピュータ上で起動されると、コンピュータは第１の態様における方法を実行する。コンピュータは、例えば、端末であってよい。
【００５２】
第６の態様により、本願はさらにコンピュータ可読記憶媒体を提供し、コンピュータ可読記憶媒体は命令を格納する。命令がコンピュータ上で起動されると、コンピュータは第２の態様の方法を実行する。コンピュータは、例えば、基地局であってよい。
【００５３】
第７の態様により、本願はコンピュータプログラムプロダクトを提供する。コンピュータプログラムプロダクトは、コンピュータソフトウェア命令を含み、コンピュータソフトウェア命令は、プロセッサによりロードされて、第１の態様の任意の設計における無線通信方法内のプロシージャを実装してよい。
【００５４】
第８の態様により、本願は、コンピュータプログラムプロダクトを提供する。コンピュータプログラムプロダクトは、コンピュータソフトウェア命令を含み、コンピュータソフトウェア命令は、プロセッサによってロードされて、第２の態様の任意の設計における無線通信方法内のプロシージャを実装してよい。
【００５５】
また、第２の態様から第８の態様までの任意の設計方式によってもたらされる技術的効果については、第１の態様の異なる設計方式によってもたらされる技術的効果を参照されたい。ここで、詳細について再度記載することはしない。
【００５６】
本発明に係るこれらの態様またはその他の態様は、以下の実施形態の説明において、より簡潔且つより包含的なものとなっている。
【図面の簡単な説明】
【００５７】
【図１】背景技術における方法の時間−周波数リソースを割り当てる概略図である。
【００５８】
【図２】背景技術の方法における時間−周波数リソースを割り当てる別の模式図である。
【００５９】
【図３】本願による可能なネットワークアーキテクチャの概略図である。
【００６０】
【図４】本願による無線通信方法である。
【００６１】
【図５】本願によるスロットフォーマットの例の図である。
【００６２】
【図６（ａ）】本願による、時間−周波数リソースの割り当ての概略図である。
【００６３】
【図６（ｂ）】本願による、時間−周波数リソースの割り当ての別の模式図である。
【００６４】
【図７（ａ）】本願による、時間−周波数リソースの割り当てのさらに別の模式図である。
【００６５】
【図７（ｂ）】本願による、時間−周波数リソースの割り当てのまたさらなる別の模式図である。
【００６６】
【図７（ｃ）】本願による、時間−周波数リソースの割り当てのまたさらなる別の模式図である。
【００６７】
【図８（ａ）】本願による、時間−周波数リソースの割り当てのさらなる概略図である。
【００６８】
【図８（ｂ）】本願による、時間−周波数リソースの割り当てのさらなる概略図である。
【００６９】
【図８（ｃ）】本願による、時間−周波数リソースの割り当てのさらなる概略図である。
【００７０】
【図９】本願による、時間−周波数リソースの割り当てのさらなる概略図である。
【００７１】
【図１０】本願による、時間−周波数リソースの割り当てのさらなる別の模式図である。
【００７２】
【図１１】本願による装置の概略図である。
【発明を実施するための形態】
【００７３】
本願の目的、技術的解決手段および利点をより明確にすべく、以下に添付図面を参照しつつ本願についてさらに詳しく説明する。
【００７４】
本願の無線通信方法は、装置によって実行されてよいことに留意されたい。ネットワーク側の装置は、基地局または基地局内のチップであってよく、換言すると、本願の無線通信方法は、基地局または基地局内のチップによって実行されてよい。端末側の装置は、端末または端末内のチップであってよく、換言すると、本願の無線通信方法は端末または端末内のチップによって実行されてよい。
【００７５】
説明しやすくするために、本願においては、無線通信方法を説明する例として、装置が基地局または端末であることが用いられる。装置が基地局内のチップまたは端末内のチップである場合に用いられる実装方法については、基地局または端末の無線通信方法の詳細な説明を参照されたい。詳細について、再度繰り返し説明することはしない。
【００７６】
本願で言及する上位層シグナリングとは、システムメッセージ（マスタ情報ブロック（Ｍａｓｔｅｒ  Ｉｎｆｏｒｍａｔｉｏｎ  Ｂｌｏｃｋ，ＭＩＢ）、システム情報ブロック（Ｓｙｓｔｅｍ  Ｉｎｆｏｒｍａｔｉｏｎ  Ｂｌｏｃｋ，ＳＩＢ）、ブロードキャストシグナリング、ＲＲＣシグナリングまたはメディアアクセス制御（Ｍｅｄｉａ  Ａｃｃｅｓｓ  Ｃｏｎｔｒｏｌ，ＭＡＣ）制御要素（Ｃｏｎｔｒｏｌ  Ｅｌｅｍｅｎｔ，ＣＥ）等）であってよいことに留意されたい。例えば、本願中に以降に出現する第１の上位層シグナリング、第２の上位層シグナリングおよび第３の上位層シグナリングとはそれぞれ、前述のいくつかのタイプのシグナリングのうちの１または複数であってよく、本明細書ではまとめて説明する。詳細について、以降再度説明することはしない。
【００７７】
ロングタームエボリューション（ｌｏｎｇ  ｔｅｒｍ  ｅｖｏｌｕｔｉｏｎ，ＬＴＥ）では、一般に、１つのスロット内にあるすべてのシンボルが、上りリンクまたは下りリンクに専用に用いられる。特に、時分割複信（Ｔｉｍｅ  Ｄｉｖｉｓｉｏｎ  Ｄｕｐｌｅｘｉｎｇ，ＴＤＤ）システムでは、スロット（ｓｌｏｔ）全体が上りリンクまたは下りリンクに用いられる。これは、比較的柔軟性に欠き、特に、低遅延サービスに対し比較的大きな制約を課している。
【００７８】
５Ｇ新無線（Ｎｅｗ  Ｒａｄｉｏ，ＮＲ）の標準化取り組みにおいて、低遅延サービスの要件を満たすべく、柔軟なスロット構造がサポートされる。具体的に言うと、１つのスロット内のすべてのシンボルが上りリンクまたは下りリンクに用いられてよい。あるいは、１つのスロット内の一部のシンボルが上りリンクに用いられ、一部のシンボルが下りリンクに用いられる。スロット構造は、端末のグループ共通物理下りリンク制御チャネル（Ｇｒｏｕｐ  Ｃｏｍｍｏｎ  Ｐｈｙｓｉｃａｌ  ＤｏｗｎＬｉｎｋ  Ｃｏｎｔｒｏｌ  Ｃｈａｎｎｅｌ，Ｇｒｏｕｐ  Ｃｏｍｍｏｎ  ＰＤＣＣＨ）によって示されてよく、スロット構造は代替的に、スロットフォーマット（Ｓｌｏｔ  Ｆｏｒｍａｔ）またはスロットフォーマット関連情報（Ｓｌｏｔ  ｆｏｒｍａｔ  ｒｅｌａｔｅｄ  ｉｎｆｏｒｍａｔｉｏｎ）として理解されてよい。基地局は、グループ共通ＰＤＣＣＨを送信し、端末は、スロットフォーマットを取得するために、グループ共通ＰＤＣＣＨを検出する。スロットフォーマットは、上りリンク用の特定のシンボル、下りリンク用の特定のシンボルおよびスロット内の他のシンボルを示す。他のシンボルとは、上りリンク情報または下りリンク情報に用いられないシンボルであり、例えば、ブランクリソース、ガード期間（Ｇｕａｒｄ  Ｐｅｒｉｏｄ，ＧＰ）、予約リソースまたは不明リソースである。また、１つのグループ共通ＰＤＣＣＨは、１または複数のスロットから成るスロットフォーマットを示してよい。
【００７９】
説明しやすくするために、本願では時間リソースは、固定時間リソースおよび柔軟な時間リソースを含む。例えば、スロットで表わす場合、固定時間リソースは固定スロットを含み、柔軟な時間リソースは柔軟なスロットを含む。固定スロット内のすべてのシンボルは、上りリンクまたは下りリンクに専用に用いられる。代替的に、これは、固定スロット内の各シンボルの送信方向は、基地局によって上位層シグナリングを介して半静的に構成されることを示すものとして理解されてよい。柔軟なスロット内の各シンボルの送信方向は可変である。具体的には、各送信中に用いられるスロット内の各シンボルの送信方向は、基地局によって下りリンク制御情報を介して動的に示される。
【００８０】
例えば、固定スロットは固定上りリンクシンボル（ｆｉｘｅｄ  ｕｐｌｉｎｋ  ｓｙｍｂｏｌ）または固定下りリンクシンボル（ｆｉｘｅｄ  ｄｏｗｎｌｉｎｋ  ｓｙｍｂｏｌ）を含む。柔軟なスロットは、英語で「ｆｌｅｘｉｂｌｅ  ｓｌｏｔ」と称されてよく、ｆｌｅｘｉｂｌｅ  ｓｌｏｔ内の各シンボルの送信方向は、使用中に基地局によって動的に示される。
【００８１】
代替的に、固定時間リソースおよび柔軟な時間リソースは、シンボルで表わされてよい。例えば、１つのスロット内の一部のシンボルは上位層シグナリングを介して半静的に構成され、下りリンクに専用に用いられる。あるいは、１つのスロット内の一部のシンボルは上位層シグナリングを介して半静的に構成され、上りリンクに専用に用いられる。代替的に、１つのスロット内の一部のシンボルは上位層シグナリングを介して半静的に構成され、下りリンクに専用に用いられ、一部のシンボルは上位層シグナリングを介して半静的に構成され、上りリンクに専用に用いられる。代替的に、固定時間リソースおよび柔軟な時間リソースは、複数のスロットで表わされてよい。この点は、本発明において限定されるものではない。
【００８２】
固定時間リソースおよび柔軟な時間リソースに加え、予約リソース（ｒｅｓｅｒｖｅｄ  ｒｅｓｏｕｒｃｅ）も存在してよい。予約リソースが端末のために構成される場合、端末は、予約リソースに何らの前提も課さない。何らの前提も課さないということは、端末は、下りリンク送信または上りリンク送信が、予約リソースで行われないとみなすことを意味する。予約リソースは、基地局によって、端末に対し、上位層シグナリング（例えば、システム情報ブロック（Ｓｙｓｔｅｍ  Ｉｎｆｏｒｍａｔｉｏｎ  Ｂｌｏｃｋ，ＳＩＢ）またはＲＲＣ無線リソース制御（Ｒａｄｉｏ  Ｒｅｓｏｕｒｃｅ  Ｃｏｎｔｒｏｌ，ＲＲＣ））、ブロードキャストシグナリング（例えば、物理ブロードキャストチャネル（Ｐｈｙｓｉｃａｌ  Ｂｒｏａｄｃａｓｔ  Ｃｈａｎｎｅｌ，ＰＢＣＨ））により搬送されるシグナリング、ＭＡＣ層シグナリング、または物理層シグナリング（例えば、下りリンク制御情報（Ｄｏｗｎｌｉｎｋ  Ｃｏｎｔｒｏｌ  Ｉｎｆｏｒｍａｔｉｏｎ，ＤＣＩ））を介して構成されてよい。この点は、本発明において限定されるものではない。
【００８３】
従って、背景技術におけるスケジューリングなしの上りリンク送信用にリソースを割り当てる方法に基づき、固定上りリンクスロットが端末のために構成されてよい。換言すると、割り当てられた時間−周波数リソース上で、上りリンクデータのグラントフリー送信を実行するために、固定上りリンク時間リソースが端末に割り当てられ、特定の固定周波数リソースが端末に割り当てられる。
【００８４】
図１は、背景技術における方法の時間−周波数リソースを割り当てる概略図である。時間次元において割り当てられた時間リソースは、固定上りリンク時間リソースであり、例えば、固定上りリンクスロットである。本願では、当該時間リソースは、第１の時間リソースとも称される。周波数次元において割り当てられた周波数リソースは、第１の周波数リソースである。
【００８５】
図には、第１の時間リソースの一部のみが示されていることに留意されたい。実際には、第１の時間リソースは周期的なリソースであってよく、第１の時間リソースは別の時間に含まれてもよい。説明しやすくするために、本願では第１の時間リソースの一部のみが示されている。詳細について以降、再度繰り返し説明することはしない。
【００８６】
従って、背景技術における時間−周波数リソースを割り当てる方法に基づくと、上りリンクデータのグラントフリー送信は、第１の時間リソースおよび第１の周波数リソースを含む時間−周波数リソース、すなわち図１中の時間−周波数リソース"１"上のみで実行可能である。
【００８７】
図１に示される方法に基づくと、端末が現在、時間−周波数リソース"２"が属する時間間隔内にあり、端末がグラントフリー上りリンク送信、すなわち、スケジューリングなしの上りリンク送信を実行する必要があるとき、時間−周波数リソース"２"はグラントフリー上りリンク送信用に構成されていないので、端末はグラントフリー上りリンク送信用に構成された時間−周波数リソース上でグラントフリー上りリンク送信を実行するために、次の期間の到来まで待機する必要がある。例えば、図２は、背景技術における方法の時間−周波数リソースを割り当てる別の模式図である。時間−周波数リソース"５"は、次の期間に位置し、且つグラントフリー上りリンク送信用に構成された時間−周波数リソースである。当該時間−周波数リソースは、時間次元においては第１の時間リソースと称され、周波数次元においては第１の周波数リソースと称される。従って、端末は、時間−周波数リソース"５"上でグラントフリー上りリンク送信を実行してよいが、これは、端末がグラントフリー上りリンク送信を実行するにあたり遅延を生じさせる。後続の期間に、グラントフリー上りリンク送信に使用可能な時間−周波数リソースが存在しない場合、リソース不足さえも生じ、送信競合および衝突が増大し、高信頼性サービスの高信頼性要件を保証できない。
【００８８】
本願は、前述の課題を解決し、端末サービスに対する低遅延性要件および高信頼性要件を満たすための無線通信方法を提供する。端末は、基地局から第１の上位層シグナリングを受信し、第１の上位層シグナリングは第１の時間リソースおよび第１の周波数リソースを構成するために用いられ、第１の時間リソースおよび第１の周波数リソースはスケジューリングなしの上りリンク送信に使用可能であり、端末は下りリンク制御情報を受信し、下りリンク制御情報はスロットのフォーマットを示すために用いられ、フォーマットはスロット内のシンボルの送信方向を示し、スロット内の上りリンクシンボルはスケジューリングなしの上りリンク送信に使用可能な時間リソースである。方法において、基地局は、スケジューリングなしの上りリンク送信に使用可能な第１の時間リソースおよび第１の周波数リソースを、第１の上位層シグナリングを介して示し、さらに、スロットのフォーマットを下りリンク制御情報を介して示し、スロット内の上りリンクシンボルも、スケジューリングなしの上りリンク送信に使用可能である。従って、基地局は端末に、スケジューリングなしの上りリンク送信に使用可能な時間リソースを、下りリンク制御情報を介して動的に割り当ててよい。第１の時間リソースが利用不可または不十分である場合、当該動的に割り当てられた時間リソースがスケジューリングなしの上りリンク送信に用いられてよく、これによりサービスの低遅延性要件および高信頼性要件を満たす。
【００８９】
添付図面を参照しつつ、以下に本願の無線通信方法について詳しく説明する。
【００９０】
図３は、本願による考えられ得るネットワークアーキテクチャの概略図である。ネットワークアーキテクチャは、少なくとも１つの端末１０を含み、端末１０は無線インタフェースを介して基地局２０と通信する。分かり易くするために、図には１つの基地局および１つの端末のみが示されている。
【００９１】
端末は、例えば屋内デバイス、屋外デバイス、ハンドヘルドデバイスまたは車載デバイスといった、無線送受信機機能を有し且つ地上に配備されてよいデバイスである。または端末は水上（例えば、船上）に配備されてよく、あるいは空中（例えば、航空機、バルーンまたは衛星上）に配備されてもよい。端末は、携帯電話（ｍｏｂｉｌｅ  ｐｈｏｎｅ）、タブレットコンピュータ（ｐａｄ）、無線送受信機機能付きコンピュータ、仮想現実（ｖｉｒｔｕａｌ  ｒｅａｌｉｔｙ，ＶＲ）端末、拡張現実（ａｕｇｍｅｎｔｅｄ  ｒｅａｌｉｔｙ，ＡＲ）端末、産業用制御（ｉｎｄｕｓｔｒｉａｌ  ｃｏｎｔｒｏｌ）の無線端末、自動運転（ｓｅｌｆ  ｄｒｉｖｉｎｇ）の無線端末、遠隔医療（ｒｅｍｏｔｅ  ｍｅｄｉｃａｌ）の無線端末、スマートグリッド（ｓｍａｒｔ  ｇｒｉｄ）の無線端末、交通安全（ｔｒａｎｓｐｏｒｔａｔｉｏｎ  ｓａｆｅｔｙ）の無線端末、スマートシティ（ｓｍａｒｔ  ｃｉｔｙ）の無線端末またはスマートホーム（ｓｍａｒｔ  ｈｏｍｅ）の無線端末等であってよい。
【００９２】
基地局は、端末を無線ネットワークに接続するデバイスである。基地局には、５ＧのｇＮＢ、進化型ＮｏｄｅＢ（ｅｖｏｌｖｅｄ  ｎｏｄｅＢ，ｅＮＢ）、無線ネットワークコントローラ（ｒａｄｉｏ  ｎｅｔｗｏｒｋ  ｃｏｎｔｒｏｌｌｅｒ，ＲＮＣ）、ノードＢ（ｎｏｄｅＢ，ＮＢ）、基地局コントローラ（ｂａｓｅ  ｓｔａｔｉｏｎ  ｃｏｎｔｒｏｌｌｅｒ，ＢＳＣ）、ベーストランシーバ基地局（ｂａｓｅ  ｔｒａｎｓｃｅｉｖｅｒ  ｓｔａｔｉｏｎ，ＢＴＳ）、ホーム基地局（例えば、ｈｏｍｅ  ｅｖｏｌｖｅｄ  ｎｏｄｅＢまたはｈｏｍｅ  ｎｏｄｅＢ，ＨＮＢ）、ベースバンドユニット（ＢａｓｅＢａｎｄ  Ｕｎｉｔ，ＢＢＵ）、ｇノードＢ（ｇｎｏｄｅＢ，ｇＮＢ）、送信受信ポイント（ｔｒａｎｓｍｉｔｔｉｎｇ  ａｎｄ  ｒｅｃｅｉｖｉｎｇ  ｐｏｉｎｔ，ＴＲＰ）、送信ポイント（ｔｒａｎｓｍｉｔｔｉｎｇ  ｐｏｉｎｔ，ＴＰ）またはモバイルスイッチングセンタ等が含まれるが、これらに限定されるものではない。また、代替的に基地局は、ＷｉＦｉアクセスポイント（ａｃｃｅｓｓ  ｐｏｉｎｔ，ＡＰ）等を含んでもよい。
【００９３】
本願の実施形態は、スケジューリングなしの送信に用いられてよい（英語で"ｇｒａｎｔ  ｆｒｅｅ  ｔｒａｎｓｍｉｓｓｉｏｎ"と表現されてよい）。グラントフリー送信は、将来のネットワーク並びに低遅延性および高信頼性サービスにおける大量のＭＴＣタイプサービスの送信に用いられてよい。グラントフリー送信は、上りリンクデータ送信に特有であってよい。当業者は、グラントフリー送信は、自発アクセス、自発多元アクセスまたはコンテンションベース多元アクセス等といった別の名前を有し得ることを理解するであろう。本願の各実施形態は、非直交型多元アクセスを用いた通信システムに適用されてよい。
【００９４】
例えば、以下の３つのタイプのグラントフリー送信が存在する。
【００９５】
タイプ１：基地局が配信するグラント情報なしで、ＲＲＣ構成／再構成情報のみに基づき、上りリンクデータ送信が実行される。
【００９６】
タイプ２：上りリンクデータ送信は基地局が配信するグラント情報なしで実行されるが、グラントフリー送信が、ＲＲＣ構成情報および物理層シグナリング（例えば、Ｌ１シグナリング（ｓｉｇｎａｌｉｎｇ））の指示に基づき、アクティブ化／非アクティブ化される必要がある。
【００９７】
タイプ３：上りリンクデータ送信は基地局が配信するグラント情報なしで実行され、ＲＲＣシグナリングを介して半静的に構成される一部のパラメータは、物理層シグナリング（例えば、Ｌ１シグナリング）を介してＲＲＣ構成／再構成情報に基づき修正されてよいが、グラントフリー送信は物理層シグナリング（例えば、Ｌ１シグナリング）を介してアクティブ化／非アクティブ化される必要はない。
【００９８】
図４に示される通り、本願は、無線通信方法を提供する。方法は、図３に示されるネットワークアーキテクチャに適用可能であり、方法は以下の段階を含む。
【００９９】
段階４０１：基地局は第１の上位層シグナリングを端末に送信し、端末は基地局から第１の上位層シグナリングを受信する。
【０１００】
実装において、グラントフリー送信がタイプ１またはタイプ３である場合、第１の上位層シグナリングは、第１の時間リソースおよび第１の周波数リソースを構成するために用いられ、第１の時間リソースおよび第１の周波数リソースは、スケジューリングなしの上りリンク送信に使用可能である。第１の時間リソースは、例えば、スロット内の固定上りリンクシンボルであってよく、換言すると、第１の時間リソースは、上りリンク送信方向で専用に用いられるシンボルである。
【０１０１】
図１および図２に示される通り、時間−周波数リソース"１"および"５"は、時間次元における第１の時間リソースおよび周波数次元における第１の周波数リソースである。
【０１０２】
換言すると、基地局は、段階４０１を実行することで、端末に対しスケジューリングなしの上りリンク送信に使用可能な時間−周波数リソースを割り当て、割り当てられた時間リソースは第１の時間リソースであり、第１の時間リソース内のシンボルは上りリンクに専用に用いられる。
【０１０３】
別の実装においては、グラントフリー送信がタイプ２である場合、第１の上位層シグナリングは、第１の周波数リソースの代わりに、第１の時間リソースを示す必要がある。第１の周波数リソースは、基地局によってＬ１シグナリングを介して示されてよい。
【０１０４】
また、グラントフリー送信がタイプ３である別の実装においては、代替的に、第１の上位層シグナリングは、第１の周波数リソースの代わりに第１の時間リソースを示してよい。第１の周波数リソースは、基地局によってＬ１シグナリングを介して示されてよい。
【０１０５】
段階４０２：基地局は下りリンク制御情報を端末に送信し、端末は基地局から下りリンク制御情報を受信する。
【０１０６】
下りリンク制御情報は、スロットのフォーマットを示すために用いられ、フォーマット（ｆｏｒｍａｔ）はｓｌｏｔ  ｆｏｒｍａｔとも称されてよい。フォーマットは、スロット内のシンボルの送信方向を示し、スロット内の上りリンクシンボルは、スケジューリングなしの上りリンク送信に使用可能な時間リソースである。
【０１０７】
スロット内のすべての上りリンクシンボルがスケジューリングなしの上りリンク送信に用いられてよく、またはスロット内の一部の上りリンクシンボルがスケジューリングなしの上りリンク送信に用いられてよい。
【０１０８】
また、スロット内に存在し且つスケジューリングなしの上りリンク送信に使用可能な上りリンクシンボルについては、スケジューリングなしの上りリンク送信は、上りリンクシンボルのすべてにより実行されてよく、あるいは、スケジューリングなしの上りリンク送信は、これらのシンボルのうち一部のみにより実行されてもよい。
【０１０９】
図４中に示される無線通信方法では、基地局は、スケジューリングなしの上りリンク送信に使用可能な第１の時間リソースおよび第１の周波数リソースを、第１の上位層シグナリングを介して示し、さらに、スロットのフォーマットを下りリンク制御情報を介して示し、スロット内の上りリンクシンボルも、スケジューリングなしの上りリンク送信に使用可能である。従って、基地局は、端末に対し、スケジューリングなしの上りリンク送信に使用可能な時間リソースを下りリンク制御情報を介して動的に割り当ててよい。第１の時間リソースが利用不可または不十分である場合、当該動的に割り当てられた時間リソースがスケジューリングなしの上りリンク送信に用いられてよく、これによりサービスの低遅延性要件および高信頼性要件を満たす。
【０１１０】
段階４０２で、特定の場合に応じ、基地局は、スロットのフォーマットを下りリンク制御情報を介して示してよい。１つのスロットが７個のシンボルを含む例を説明に用いる。各シンボルの送信方向は、上りリンク、下りリンクまたは不明であってよい（換言すると、シンボルは、不明リソース、予約リソースまたはＧＰのうちの少なくとも１つとして用いられてよい）。従って、スロットごとに、３７のフォーマットが存在する。具体的には、スロットに用いられる特定のフォーマットは、基地局によって示される。別の例では、スロットが１４個のシンボルを含む場合、スロットごとに３１４のフォーマットが存在する。
【０１１１】
実際の使用では、すべてのフォーマットが使用されないことはもちろんである。通常、使用されるべき特定のフォーマットは事前定義されており、基地局は、選択した特定のフォーマットを指示情報を介して示す。
【０１１２】
例えば、図５は、本願によるスロットフォーマットの例の図である。使用される４つのスロットフォーマットはプロトコルで定義され、第１のスロットフォーマットはすべてのシンボルが下りリンクシンボルであることを表わし、"００"として示される；第２のスロットフォーマットはすべてのシンボルが上りリンクシンボルであることを表わし、"０１"として示される；第３のスロットフォーマットは、Ｌ個の連続する下りリンクシンボル＋Ｍ個の連続する不明なシンボル＋Ｎ個の連続する上りリンクシンボルであることを表わし、第３のスロットフォーマットは"１０"として示され、Ｌ＋Ｍ＋Ｎは１つのスロット内に含まれるシンボルの個数に等しく、Ｌ＞Ｎであり、Ｌ、Ｍ、およびＮの値はプロトコルで定義される；第４のスロットフォーマットはＬ個の連続する下りリンクシンボル＋Ｍ個の連続する不明なシンボル＋Ｎ個の連続する上りリンクシンボルを表わし、第４のスロットフォーマットは"１１"として示され、Ｌ＋Ｍ＋Ｎは１つのスロット内に含まれるシンボルの個数に等しく、Ｌ＜Ｎであり、Ｌ、Ｍ、およびＮの値はプロトコルで定義される、ことを前提とする。
【０１１３】
いくつかのタイプのフォーマットに関する情報は、基地局および端末の両方に対し事前構成されている。従って、１つのスロットについて、例えば、基地局によって示されるスロットフォーマットが"００"である場合、端末は当該スロットのフォーマットは、すべてのシンボルが下りリンクに用いられることを表わしていることを認識する。別の例では、基地局によって示されるスロットフォーマットが"１１"である場合、端末は当該スロットのフォーマットは、Ｌ個の連続する下りリンクシンボル＋Ｍ個の連続する不明なシンボル＋Ｎ個の連続する上りリンクシンボルを表わし、Ｌ＜Ｎであり、Ｌ、Ｍ、およびＮの値はプロトコルで定義されていることを認識する。
【０１１４】
段階４０２で、基地局はスロットのフォーマットを下りリンク制御情報を介して示し、具体的には、候補の時間リソースセット内のスロットフォーマットを示す。実際の適用では、時間リソースセットを決定するための複数の方法が存在する。以下に、いくつかの方法の例について説明する。
【０１１５】
候補の時間リソースセットは、１または複数の無線フレームから成るセットであってよく、各無線フレームは複数のサブフレームを含み、各サブフレームは複数のスロットを含む。従って、候補の時間リソースセットは、複数のスロットを含むとみなされてよい。
【０１１６】
代替的に、候補の時間リソースセットは、１または複数のサブフレームから成るセットであってよく、各サブフレームは複数のスロットを含む。従って、候補の時間リソースセットは、複数のスロットを含むとみなされてよい。
【０１１７】
代替的に、候補の時間リソースセットは、１または複数のスロットから成るセットであってよい。この場合、候補の時間リソースセットは候補のスロットセットと称されてもよい。
【０１１８】
方法１：候補の時間リソースセットは、基地局によって示される。
【０１１９】
方法１は、段階４０２の前または後に用いられる場合、方法はさらに、基地局によって、第２の上位層シグナリングを端末に送信する段階であって、第２の上位層シグナリングは、候補の時間リソースセットを示すために用いられる、段階を含む。また、段階４０２において、下りリンク制御情報は、スロットのフォーマット、すなわち、候補の時間リソースセット内のスロットのフォーマットを示す。または、これは基地局によって配信される制御情報が、第２の上位層シグナリングによって示される候補の時間リソースセット内のスロットのフォーマットを示すことを示すものとして理解されてよい。
【０１２０】
従って、方法１では、基地局は明示的に端末に通知し、下りリンク制御情報を介して示されるスロットのフォーマットは、候補の時間リソースセット内のスロットのフォーマットである。
【０１２１】
方法２：候補の時間リソースセットは事前定義される。
【０１２２】
方法２では、基地局および端末が候補の時間リソースセット内のスロットは、第１の時間リソース以外の時間リソースのスロットであることを事前定義する。従って、端末が第１の時間リソースを決定したとき、候補の時間リソースセットが決定されてよい。方法２の別の実装では、基地局および端末は、候補の時間リソースセット内のスロットは、第１の時間リソースおよび予約リソース以外の時間リソース内のスロットであることを事前定義する。従って、端末が第１の時間リソースおよび予約リソースを決定したとき、候補の時間リソースセットが決定されてよい。方法は、具体的には、さらに以下の実装を含んでよい。
【０１２３】
実装１：端末は、第１の時間リソースを除くすべての時間リソース内の第１のスロット、または、第１の時間リソースおよび予約リソースを除くすべての時間リソース内の第１のスロットを、候補の時間リソースセットにグループ化する。第１のスロットは、送信方向を柔軟に構成可能なシンボルを含むスロットである。代替的に、これは、第１のスロットは、スロットフォーマットを柔軟に構成可能なスロットであり、換言すると、第１のスロットのスロットフォーマットは、基地局によって下りリンク制御情報を介して動的に示されることを示すものとして理解されてよい。例えば、スロットフォーマットのための指示情報は、端末のグループ共通下りリンク制御チャネル上に保持され、スロットフォーマット（ｓｌｏｔ  ｆｏｒｍａｔ）とは、スロット内のシンボルの送信方向を指す。
【０１２４】
実装２：端末は、端末の現在のシステムフレーム内の第１の時間リソース以外の別の時間リソース内の第２のスロット、または、端末の現在のシステムフレーム内の、第１の時間リソースおよび予約リソース以外の別の時間リソース内の第２のスロットを、候補の時間リソースセットにグループ化する。第２のスロットは、送信方向を柔軟に構成可能なシンボルを含むスロットである。換言すると、第２のスロットのスロットフォーマットは、基地局によって下りリンク制御情報を介して動的に示される。例えば、スロットフォーマットのための指示情報は、端末のグループ共通下りリンク制御チャネル上に保持される。
【０１２５】
実装３：端末は、端末に割り当てられた時間リソース内の、第１の時間リソース以外の別の時間リソース内の第３のスロット、または、端末に割り当てられた時間リソース内の、第１の時間リソースおよび予約リソース以外の別の時間リソース内の第３のスロットを、候補の時間リソースセットにグループ化する。第３のスロットは、送信方向を柔軟に構成可能なシンボルを含むスロットである。換言すると、第３のスロットのスロットフォーマットは、基地局によって下りリンク制御情報を介して動的に示される。例えば、スロットフォーマットのための指示情報は、端末のグループ共通下りリンク制御チャネルに保持される。
【０１２６】
従って、前述の方法１または方法２を実行することで、端末はフォーマットが下りリンク制御情報内で示された特定のスロットを決定してよい。具体的には、各スロットのフォーマットはビットで表わされてよい。例えば、図５に示される通り、事前定義されたスロットフォーマットが４つのみ存在する場合、各スロットのフォーマットは、"００"、"０１"、"１０"、"１１"のうちの１つであってよい。もちろん、Ｋ個のタイプの事前定義されたフォーマットが存在し、Ｋが１より大きい場合、各スロットが必要とするビット数は、
【数１】
2020530745.tif 000020
であることを示す。
【０１２７】
端末は、基地局によって示されるスロットのフォーマットに基づき、候補の時間リソースセット内の各スロットのフォーマットを決定してよく、さらに、基地局によって上りリンクシンボルとして示される、各スロット内の特定のシンボルを決定し、当該上りリンクシンボルを用いて、スケジューリングなしの上りリンク送信を実行してよい。
【０１２８】
前述の方法の実施形態では、スケジューリングなしの上りリンク送信を実行するために、端末が使用可能な時間リソースが示される。時間リソースに対応する周波数リソースについても、複数の実装が存在してよい。以下に、その実装について別途説明する。
【０１２９】
説明しやすくするために、本願では、下りリンク制御情報内で示される時間リソースに対応する周波数リソースは、第２の周波数リソースと称される。以下の２つの実装が存在する。
【０１３０】
実装１：第２の周波数リソースは第１の周波数リソースに等しい。
【０１３１】
この実装では、下りリンク制御情報で示された時間リソースに対応する周波数リソースは、第１の周波数リソースと同一である。端末によって、第２の周波数リソースを決定する方法は、以下の２つの特定の実装を含んでよい。実装において、第２の周波数リソースは第１の周波数リソースに等しいことが事前定義される。従って、端末は第１の周波数リソースに基づき、第２の周波数リソースを決定してよく、または、これは、端末が第１の周波数リソースを直接使用することを示すとして理解されてよい。他の実装では、基地局が第２の周波数リソースを、第３の上位層シグナリングを介して直接示す。換言すると、段階４０２の前または後に、方法はさらに、端末によって、第３の上位層シグナリングを基地局から受信する段階であって、第３の上位層シグナリングは第２の周波数リソースを示すために用いられ、第２の周波数リソースは第１の周波数リソースに等しい、段階を含む。
【０１３２】
実装１に基づき、端末は下りリンク制御情報で示されたスロット内の上りリンクシンボルおよび第２の周波数リソース上で、スケジューリングなしの上りリンク送信を実行してよい。
【０１３３】
図６（ａ）は、本願による時間−周波数リソースを割り当てる概略図である。第２の周波数リソースは第１の周波数リソースに等しく、基地局によって下りリンク制御情報を介して示された時間リソースは、柔軟な時間リソース内に存在し且つ上りリンク送信として用いられるものとして示されるシンボルである。例えば、図６（ａ）に示される通り、基地局によって示される時間リソースのフォーマットは、図５に示される第４のスロットフォーマットである。図には、１つの示されたスロットのみの時間リソースが示されているが、代替的に基地局は、候補の時間リソースセット内の複数のスロットのフォーマットを示してよいことはもちろんである。
【０１３４】
図６（ｂ）は、本願による、時間−周波数リソースを割り当てる別の模式図である。基地局は、スケジューリングなしの上りリンク送信に使用可能な時間リソースを、下りリンク制御情報を介して示す。具体的には、時間リソースは上りリンクシンボルであり、第２の周波数リソースと組み合わされて、グラントフリー上りリンク送信に使用可能な時間−周波数リソースを形成する。図６（ｂ）は、時間−周波数リソース"２"内の上りリンクシンボルおよび第２の周波数を含む時間−周波数リソース、時間−周波数リソース"５"内のすべてのスロット（換言すると、時間−周波数リソース"５"内のすべてのスロットは上りリンクシンボルである）を含む時間−周波数リソース、並びに時間−周波数リソース"６"内の上りリンクシンボルおよび第２の周波数を示す。
【０１３５】
前述の実装１では、基地局は第２の周波数リソースは第１の周波数リソースと同一であることを示すまたは事前定義し、その後、スケジューリングなしの上りリンク送信に使用可能な時間−周波数リソースが形成されるように、基地局によって下りリンク制御情報を介して示された時間リソースのフォーマットを参照して上りリンクシンボルを決定する。
【０１３６】
実装２：第２の周波数リソースは、第１の周波数リソースの部分集合である。
【０１３７】
実装において、下りリンク制御情報内で示される時間リソースに対応する周波数リソース、すなわち、第２の周波数リソースは、第１の周波数リソースの部分集合である。本明細書では、部分集合の意味は以下の通りである。すなわち、第２の周波数リソースは第１の周波数リソースと同一である、または、第２の周波数リソースは第１の周波数リソースの真部分集合である。
【０１３８】
第２の周波数リソースが第１の周波数リソースと同一である場合、前述の実装１を参照されたい。ここで詳細について再度説明はしない。
【０１３９】
第２の周波数リソースが第１の周波数リソースの真部分集合である場合、基地局は、第２の周波数リソースを第３の上位層シグナリングを介して示す。換言すると、段階４０２の前または後に、方法はさらに、端末によって、第３の上位層シグナリングを基地局から受信する段階であって、第３の上位層シグナリングは第２の周波数リソースを示すために用いられ、第２の周波数リソースは第１の周波数リソースの真部分集合である、段階を含む。
【０１４０】
実装２に基づき、端末は下りリンク制御情報内で示されたスロット内の上りリンクシンボルおよび第２の周波数リソース上で、スケジューリングなしの上りリンク送信を実行してよい。
【０１４１】
図７（ａ）は、本願による、時間−周波数リソースの割り当てのさらなる別の模式図である。第２の周波数リソースは、第１の周波数リソースの真部分集合であり、基地局によって下りリンク制御情報を介して示された時間リソースは、柔軟な時間リソース内に存在し且つ上りリンク送信に用いられるものとして示されるシンボルである。例えば、図７（ａ）に示される通り、基地局によって示される時間リソースのフォーマットは、図５中の第４のスロットフォーマットである。図には、１つの示されたスロットのみの時間リソースが示されているが、代替的に基地局は、候補の時間リソースセット内の複数のスロットのフォーマットを示してよいことはもちろんである。
【０１４２】
図７（ｂ）は、本願による、時間−周波数リソースを割り当てるさらに別の模式図である。基地局は、スケジューリングなしの上りリンク送信に使用可能な時間リソースを、下りリンク制御情報を介して示す。具体的には、時間リソースは、上りリンクシンボルであり、第２の周波数リソースと組み合わされてグラントフリー上りリンク送信に使用可能な時間−周波数リソースを形成する。図７（ｂ）は、時間−周波数リソース"２"内の上りリンクシンボルおよび第２の周波数を含む時間−周波数リソース、時間−周波数リソース"５"内の上りリンクシンボルおよび第２の周波数を含む時間−周波数リソース、並びに時間−周波数リソース"６"内の上りリンクシンボルおよび第２の周波数を含む時間−周波数リソース示す。
【０１４３】
もちろん、別の実装では、下りリンク制御情報で示された各スロットは、基地局によって第３の上位層シグナリングを介して示された第２の周波数リソースの１つにそれぞれ対応してよい。これは、代替的に、異なるスロットの第２の周波数リソースは同一であってよい、または異なってよいことを示すものとして理解されてよい。図７（ｃ）は、本願による、時間−周波数リソースの割り当てのさらなる別の模式図である。時間−周波数リソース"２"内に示される第２の周波数リソース、時間−周波数リソース"５"内に示される第２の周波数リソース、および時間−周波数リソース"６"内に示される第２の周波数リソースは互いに異なる。
【０１４４】
実際の使用において、実装２が用いられる場合、図７（ｂ）に示される実装か、図７（ｃ）に示される実装のいずれが使用されるかは、要件に基づき決定されてよいことに留意されたい。この点は、本願において限定されるものではない。
【０１４５】
前述の実装２において、基地局が第２の周波数リソースを示した後、スケジューリングなしの上りリンク送信に使用可能な時間−周波数リソースが形成されるように、基地局は、基地局によって下りリンク制御情報を介して示される時間リソースのフォーマットを参照して上りリンクシンボルを決定する。
【０１４６】
別の考え得る設計方式では、本願は、スケジューリングなしの上りリンク送信に使用可能な時間−周波数リソースを決定する方法をさらに提供する。随意で、段階４０２の前または後に、方法はさらに、基地局によって、指示情報を送信する段階であって、指示情報は第２の時間リソースを示すために用いられ、当該時間リソースおよび第１の周波数リソース以外の周波数リソースが、スケジューリングなしの上りリンク送信に使用可能である、段階を含む。説明しやすくするために、第１の周波数リソース以外の周波数リソースは、第４の周波数リソースと称される。第４の周波数リソースは、第１の周波数リソース以外の、基地局によって端末に割り当てられた利用可能な周波数リソース内の別の周波数リソースとして理解されてよい。
【０１４７】
指示情報は、明示的な指示情報であってよい。例えば、指示情報は、グループ共通ＰＤＣＣＨに保持される。代替的に、指示情報は、グループ共通ＰＤＣＣＨのサーチ空間（Ｓｅａｒｃｈ  Ｓｐａｃｅ）で、第１の制御チャネル要素（ｃｏｎｔｒｏｌ  ｃｈａｎｎｅｌ  ｅｌｅｍｅｎｔ，ＣＣＥ）によって暗黙的に示される。
【０１４８】
指示情報を受信した後、端末は、指示情報に示される第２の時間リソースを取得し、事前定義に基づき、第２の時間リソースに対応する使用される周波数リソースは第４の周波数リソースであると決定する。従って、端末は、第２の時間リソースおよび第４の周波数リソースを含む時間−周波数リソースは、スケジューリングなしの上りリンク送信に使用可能な時間−周波数リソースであると決定する。
【０１４９】
図８（ａ）は、本願による、時間−周波数リソースを割り当てるさらなる概略図である。第２の時間リソースおよび第１の時間リソースは、部分的に互いに重なっている。代替的に、第２の時間リソースおよび第１の時間リソースは、互いに重なっていなくてもよいことはもちろんである。
【０１５０】
別の実装においては、代替的に、実装は前述の実装１および実装２を組み合わせて用いてよい。例えば、第４の周波数リソースの一部が、基地局によって配信される上位層シグナリングを介して追加的に示されてよい。当該周波数リソースの一部は、第５の周波数リソースとして称され、第２の時間リソースに対応する使用される周波数リソースとして用いられる。図８（ｂ）は、本願による、時間−周波数リソースを割り当てるさらなる概略図である。端末は、第２の時間リソースおよび第５の周波数リソースを含む時間−周波数リソースが、スケジューリングなしの上りリンク送信に使用可能な時間−周波数リソースであると決定する。
【０１５１】
第２の時間リソース内の各スロットは、基地局によって配信される上位層シグナリングで示される第５の周波数リソースの１つに対応してよいことはもちろんである。代替的に、これは、異なるスロットの第５の周波数リソースは、同一であってもよく、または異なってもよいことを示すものとして理解されてよい。図８（ｃ）は、本願による、時間−周波数リソースの割り当てのさらなる概略図である。時間−周波数リソース"４"内に示された第５の周波数リソースおよび時間−周波数リソース"３"内に示された第５の周波数リソースは、互いに異なっている。
【０１５２】
別の実装では、代替的に、図８（ａ）から図８（ｃ）に示される実装は、図７（ａ）から図７（ｃ）に示される実装および図６（ａ）および図６（ｂ）に示される実装と組み合わされて、新しい実装を形成してよい。例えば、図９は本願による、時間−周波数リソースを割り当てるさらなる概略図である。実装は、図８（ａ）に示される実装および図６（ａ）に示される実装を組み合わせて形成される実装である。別の組み合わせの実装については、本願で示さないこととする。
【０１５３】
別の考え得る設計方式において、本願は、さらに、スケジューリングなしの上りリンク送信に使用可能な時間−周波数リソースを決定するための方法を提供する。随意で、段階４０２の前または後に、方法はさらに、基地局によって、上りリンクスケジューリンググラントを端末に送信する段階であって、上りリンクスケジューリンググラントはスケジューリングされた第３の時間リソースおよび第３の周波数リソースを示すために用いられ、第３の時間リソースのスロット内の未使用の上りリンクシンボルおよび第３の周波数リソースもスケジューリングなしの上りリンク送信に使用可能である、段階を含む。
【０１５４】
実装において、基地局は、端末が使用可能な上りリンクリソースを、上りリンクスケジューリングを通して示す。上りリンクリソース内の上りリンク時間−周波数リソースの一部が未使用の場合、当該未使用の上りリンク時間−周波数リソースは、スケジューリングなしの上りリンク送信を実行するために用いられてよい。
【０１５５】
実装は、前述の実装のうち任意のものと組み合わされて用いられてよい。具体的に言うと、実装は、図６（ａ）および図６（ｂ）、図７（ａ）から図７（ｃ）および図８（ａ）から８（ｃ）の実装のいずれかのものを組み合わせて用いてよい。
【０１５６】
図１０は、本願による、時間−周波数リソースを割り当てるさらに別の模式図である。実装は、図６（ａ）および図６（ｂ）、図７（ａ）から図７（ｃ）、図８（ａ）から図８（ｃ）並びに図９の実装のうちの任意のもの組み合わせて用いてよい。図１０中には、実装が図７（ａ）に示される実装と組み合わされる例が、説明のために用いられている。基地局は、３つのスロット内の一部のシンボルが上りリンクスケジューリングリソースとして用いられることを、上りリンクスケジューリンググラントを介して示す。具体的には、基地局は、第３の時間リソースおよび第３の周波数リソースを、時間−周波数リソース"２"、"３"および"４"内で別個に示す。
【０１５７】
第３の時間リソースの各スロットには、未使用の上りリンクシンボルが存在する。従って、３つのスロット内の未使用の上りリンクシンボルは、端末によって、スケジューリングなしの上りリンクリソースとして、上りリンクデータを送信するために使用されてよい。
【０１５８】
この方式では、スケジューリングなしの上りリンク送信に使用可能な時間−周波数リソースを決定するための別の方法が提供される。具体的に言うと、基地局は、上りリンクスケジューリンググラントを端末に送信し、上りリンクスケジューリンググラントは、スケジューリングされた第３の時間リソースおよび第３の周波数リソースを示すために用いられる。第３の時間リソースのスロット内に未使用の上りリンクシンボルが存在する場合、スケジューリングなしの上りリンク送信は、未使用の上りリンクシンボルおよび第３の周波数リソースを介して実行されてよく、これにより、スケジューリングなしの上りリンク送信に使用されるリソースをさらに追加し、さらに、遅延を低減し、サービス信頼性を向上させる。
【０１５９】
本願は、スケジューリングなしの上りリンクリソースを動的に端末に割り当てるための複数の方法を提供する。方法は、図６（ａ）および図６（ｂ）、図７（ａ）から図７（ｃ）、図８（ａ）から図８（ｃ）並びに図９および図１０の実装のうちのいずれであってもよい、または２または２より多い実装による組み合わせであってよい。これらの実装に基づき、スケジューリングなしの上りリンクリソースは、端末に動的に割り当てられてよく、端末のいくつかのサービスの低遅延性要件および高信頼性要件を満たす。
【０１６０】
本願では、複数の実装のうちの任意の１つまたはこれらの組み合わせにおいて、スケジューリングなしの上りリンク送信に使用可能なリソースが端末に動的に割り当てられた後、端末は、スケジューリングなしの上りリンク送信に使用可能なリソース上でデータを送信してよい。
【０１６１】
図１１は、本願による装置の概略図である。装置は、前述の実施形態のうちのいずれかにおける端末または基地局であってよい。装置は、図３中に示すシステムアーキテクチャ内の端末または端末内のチップであってよく、または図３中に示すシステムアーキテクチャ内の基地局または基地局内のチップであってよい。
【０１６２】
装置２００は、前述の無線通信方法のうちのいずれかの、端末または基地局によって実行される方法を示すよう構成されてよい。
【０１６３】
装置２００は、少なくとも１つの処理ユニット２１および通信ユニット２２を含み、随意でさらにストレージユニット２３を含む。処理ユニット２１、通信ユニット２２およびストレージユニット２３は、通信バスを介して接続されている。
【０１６４】
処理ユニット２１は、汎用中央演算処理装置（ＣＰＵ）、マイクロプロセッサ、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ，ＡＳＩＣ）、または、本発明の解決手段におけるプログラム実行を制御するよう構成された１または複数の集積回路であってよい。
【０１６５】
通信バスは、前述のユニット間で情報を送信するためのパスを含んでよい。
【０１６６】
通信ユニット２２は、送受信機機能を持つ装置であってよく、別のデバイス、またはＥｔｈｅｒｎｅｔ（登録商標）、無線アクセスネットワーク（ＲＡＮ）若しくは無線ローカルエリアネットワーク（ｗｉｒｅｌｅｓｓ  ｌｏｃａｌ  ａｒｅａ  ｎｅｔｗｏｒｋｓ，ＷＬＡＮ）等の通信ネットワークと通信するよう構成されている。
【０１６７】
ストレージユニット２３は、リードオンリメモリ（ｒｅａｄ−ｏｎｌｙ  ｍｅｍｏｒｙ，ＲＯＭ）、静的情報および命令を格納可能な別のタイプのスタティックストレージデバイス、ランダムアクセスメモリ（ｒａｎｄｏｍ  ａｃｃｅｓｓ  ｍｅｍｏｒｙ，ＲＡＭ）、または情報および命令を格納可能な別のタイプの動的ストレージデバイスであってよく、あるいは、電気的に消去可能なプログラマブルリードオンリメモリ（Ｅｌｅｃｔｒｉｃａｌｌｙ  ｅｒａｓａｂｌｅ  ｐｒｏｇｒａｍｍａｂｌｅ−ｏｎｌｙ  ｍｅｍｏｒｙ，ＥＥＰＲＯＭ）、コンパクトディスクリードオンリメモリ（ｃｏｍｐａｃｔ  ｄｉｓｃ  ｒｅａｄ−ｏｎｌｙ  ｍｅｍｏｒｙ，ＣＤ−ＲＯＭ）若しくは別の光ディスクストレージ、光ディスクストレージ（コンパクト光ディスク、レーザディスク、光ディスク、デジタル多用途ディスクまたはブルーレイディスク等を含む）、磁気ディスクストレージ媒体若しくは別の磁気ストレージデバイス、または予期されるプログラムコードを命令またはデータ構造の形態で保持または格納するよう構成されてよく且つコンピュータによってアクセス可能な任意の他の媒体であってよい。しかしながら、この点は本明細書において限定されるものではない。ストレージユニット２３は、独立して存在してよく、または、処理ユニット２１に通信バスを介して接続される。代替的に、ストレージユニット２３は処理ユニットと統合されてよい。ストレージユニット２３は、本発明の解決手段を実行するために用いられるアプリケーションプログラムコードを格納するよう構成されており、アプリケーションプログラムコードは、処理ユニット２１の制御下で実行される。処理ユニット２１は、ストレージユニット２３内に格納されたアプリケーションプログラムコードを実行するよう構成されている。
【０１６８】
特定の実装では、一実施形態において、処理ユニット２１は、１または複数のＣＰＵ、例えば、図１１中のＣＰＵ０およびＣＰＵ１を含んでよい。
【０１６９】
特定の実装では、一実施形態において、装置２００は、複数の処理ユニット、例えば、図１１中の処理ユニット２１および処理ユニット２８を含んでよい。処理ユニットの各々は、シングルコア（ｓｉｎｇｌｅ−ＣＰＵ）プロセッサであってよく、またはマルチコア（ｍｕｌｔｉ−ＣＰＵ）プロセッサであってよい。本明細書では、プロセッサは、１または複数のデバイス、回路および／またはデータ（例えば、コンピュータプログラム命令）を処理するための処理コアを指してよい。
【０１７０】
可能な設計において、装置が基地局または端末である場合、処理ユニット２１は、例えばプロセッサであってよく、通信ユニット２２は、例えば送受信機であってよく、送受信機は無線周波数回路を含む。装置はさらにストレージユニット２３を含み、ストレージユニット２３は、コンピュータで実行可能な命令を格納するよう構成されており、処理ユニット２１がストレージユニット２３に接続され、処理ユニット２１は、ストレージユニット２３内に格納されたコンピュータで実行可能な命令を実行すると、基地局または端末が、前述の実施形態のうちの任意の１つにおける無線通信方法を実行する。
【０１７１】
別の考え得る設計では、装置が基地局内のチップまたは端末内のチップである場合、処理ユニット２１は、例えばプロセッサであってよく、通信ユニット２２は、例えば入／出力インタフェース、ピンまたは回路であってよい。処理ユニット２１がストレージユニット内に格納されたコンピュータで実行可能な命令を実行してよく、その結果、チップは、前述の実施形態における無線通信方法を実行する。随意で、ストレージユニットは、チップ内のストレージユニット、例えば、レジスタまたはキャッシュである。代替的に、ストレージユニットは、基地局または端末内に存在し且つチップ外にあるストレージユニットであってよく、このようなものとしては、例えば、ＲＯＭ、静的情報および命令を格納可能な別のタイプのスタティックストレージデバイスまたはＲＡＭが含まれる。
【０１７２】
チップが無線通信方法を実行するということは、チップが、装置内の別のコンポーネントと組み合わされて、無線通信方法を完了することを示すものとして理解されてよい。
【０１７３】
例えば、チップが端末内のチップであり、チップの通信ユニットが端末の送受信機と接続されている場合、端末の送受信機は基地局から上位層シグナリングを受信してよく、従って、チップの通信ユニットは、基地局から第１の上位層シグナリングを受信してよい。さらに、端末のプロセッサは、下りリンク制御情報を受信するように、端末の送受信機を制御してよい。従って、チップの通信ユニットは、送受信機から下りリンク制御情報を受信してよく、下りリンク制御情報をチップの処理ユニットに送信してよい。このように、端末のチップは、本発明の実施形態における無線通信方法を実装する。
【０１７４】
別の例では、チップが基地局内のチップであり、チップの通信ユニットが基地局の送受信機に接続されている場合、チップの処理ユニットは、上位層シグナリングを通信ユニットを介して、基地局の送受信機に送信し、基地局の送受信機は、第１の上位層シグナリングを端末に送信する。さらに、チップの処理ユニットは、下りリンク制御情報を、通信ユニットを介して基地局の送受信機に送信し、すると、基地局の送受信機が下りリンク制御情報を端末に送信する。このように、基地局のチップは、本発明の実施形態における無線通信方法を実装する。
【０１７５】
例えば、装置が図１１に示される方法に分割される場合、処理ユニットが通信ユニットと連携して、装置が本願の前述の実施形態のうちのいずれかの無線通信方法を実装できるようにする。
【０１７６】
例えば、図１１に示される装置が、端末または端末内のチップである場合、処理ユニットは、通信ユニットを制御して、基地局から第１の上位層シグナリングを受信する段階であって、第１の上位層シグナリングは第１の時間リソースおよび第１の周波数リソースを構成するために用いられ、第１の時間リソースおよび第１の周波数リソースはスケジューリングなしの上りリンク送信に使用可能である、段階と、下りリンク制御情報を受信する段階であって、下りリンク制御情報はスロットのフォーマットを示すために用いられ、フォーマットはスロット内のシンボルの送信方向を示し、スロット内の上りリンクシンボルは、スケジューリングなしの上りリンク送信に使用可能な時間リソースである、段階と、を実行させるように構成されている。
【０１７７】
端末または端末内のチップは、本発明の実施形態における無線通信方法において端末によって実行される段階を実装するよう構成されてよいことを理解されたい。関連する機能については、前述の説明を参照されたい。ここで詳細について再度説明はしない。
【０１７８】
例えば、図１１に示される装置が、基地局または基地局内のチップである場合、処理ユニットは、通信ユニットを制御して、第１の上位層シグナリングを端末に送信する段階であって、第１の上位層シグナリングは第１の時間リソースおよび第１の周波数リソースを構成するために用いられ、第１の時間リソースおよび第１の周波数リソースはスケジューリングなしの上りリンク送信に使用可能である、段階と、下りリンク制御情報を端末に送信する段階であって、下りリンク制御情報はスロットのフォーマットを示すために用いられ、フォーマットはスロット内のシンボルの送信方向を示し、スロット内の上りリンクシンボルは、スケジューリングなしの上りリンク送信に使用可能な時間リソースである、段階と、を実行させるように構成されている。
【０１７９】
基地局または基地局内のチップは、本発明の実施形態における無線通信方法において基地局によって実行される段階を実装するよう構成されてよいことを理解されたい。関連する機能については、前述の説明を参照されたい。ここで詳細について再度説明はしない。
【０１８０】
本願は、さらに、コンピュータ可読記憶媒体を提供する。コンピュータ可読記憶媒体は命令を格納し、命令がコンピュータ上で実行されると、コンピュータは無線通信方法を実行する。コンピュータは、端末または基地局であってよい。
【０１８１】
本願は、コンピュータプログラムプロダクトを提供する。コンピュータプログラムプロダクトは、コンピュータソフトウェア命令を含み、コンピュータソフトウェア命令がプロセッサによりロードされて、前述の実施形態のうちのいずれかの無線通信方法のプロシージャを実装してよい。
【０１８２】
本願における本明細書の前述の説明は、当業者が本願の内容を使用または実装することを可能にしてよい。当該開示内容に基づきなされる任意の修正は、当該技術分野において自明であるとみなされるべきである。本願に記載された基本原理は、本願の本質および範囲を逸脱することなく、他の変形例に適用されてよい。従って、本願の開示内容は、記載された実施形態および設計のみに限定されず、さらに、当該原理および本願で新しく開示した特徴と整合する最大範囲にまで拡張されてよい。
【国際調査報告】
2020530745.tif 000021
2020530745.tif 000022
2020530745.tif 000023
2020530745.tif 000024